(57)【特許請求の範囲】
【請求項１】
信号送信方法であって、
送信装置により、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングするステップであって、前記第１シーケンスは第３シーケンス及び第４シーケンスのうちの一方であり、前記第２シーケンスは前記第３シーケンス及び前記第４シーケンスのうちの他方であり、前記２Ｍ個のサブキャリアは同じ時間ドメインシンボル上のサブキャリアであり、前記第４シーケンスはＭ個の第１情報要素を伝達するシーケンスであり、同じ瞬間における前記第４シーケンスに対応する第２時間ドメインシーケンス及び前記第３シーケンスに対応する第１時間ドメインシーケンスの要素について、複合要素が取り出されるとき、前記第１時間ドメインシーケンス及び前記第２時間ドメインシーケンスの一方は同相成分であり、他方は直交成分である、ステップと、
前記送信装置により、送信信号を生成するために、前記２Ｍ個のサブキャリアにマッピングされたシーケンスを時間ドメインに変換するステップと、
前記送信装置により、前記送信信号を送信するステップと、
を含む方法。
【請求項２】
前記第１シーケンスは前記第３シーケンスであり、前記第２シーケンスは前記第４シーケンスであり、
前記２Ｍ個のサブキャリアの中のＭ個の奇数番号のサブキャリアに第２シーケンスをマッピングする前記ステップの前に、前記方法は、
前記送信装置により、前記第２シーケンスを得るために前記第２時間ドメインシーケンスに対して第１結合変換を実行するステップであって、前記第１結合変換は、第１位相回転とＭ×Ｍ離散型フーリエ変換ＤＦＴとの結合変換である、ステップ、
を更に含む請求項１に記載の方法。
【請求項３】
前記第１時間ドメインシーケンスは、前記第１シーケンスに対して逆離散型フーリエ変換ＩＤＦＴを実行することにより得られるシーケンスであり、
前記第１時間ドメインシーケンスのＭ個の要素に対応する第１位相回転は、それぞれｅ−ｊ×２ｔπ／２Ｍであり、ｔ＝０，１，．．．，Ｍ−１である、
請求項２に記載の方法。
【請求項４】
前記第１シーケンスは前記第４シーケンスであり、前記第２シーケンスは前記第３シーケンスであり、前記第１時間ドメインシーケンスは、前記第２シーケンスに対して第２結合変換を実行することにより得られるシーケンスであり、前記第２結合変換は、Ｍ×Ｍ逆離散型フーリエ変換ＩＤＦＴと第２位相回転との結合変換であり、前記第１時間ドメインシーケンスの前記Ｍ個の要素に対応する第２位相回転は、それぞれｅｊ×２ｔπ／２Ｍであり、ｔ＝０，１，．．．，Ｍ−１であり、
２Ｍ個のサブキャリアの中のＭ個の偶数番号のサブキャリアに第１シーケンスをマッピングする前記ステップは、前記送信装置により、前記第４シーケンスを得るために前記第２時間ドメインシーケンスに対してＤＦＴを実行し、前記Ｍ個の偶数番号のサブキャリアに前記第４シーケンスをマッピングするステップを含む、
請求項１に記載の方法。
【請求項５】
送信装置により、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングする前記ステップの前に、
前記送信装置により、前記第１時間ドメインシーケンス及び前記第２時間ドメインシーケンスを取得するステップと、
前記送信装置により、前記第３シーケンスを得るために、前記第１時間ドメインシーケンスに対して第１結合変換を実行するステップであって、前記第１結合変換は、第１位相回転とＭ×Ｍ離散型フーリエ変換ＤＦＴとの結合変換である、ステップと、
前記第４シーケンスを得るために、前記第２時間ドメインシーケンスに対して前記ＤＦＴを実行するステップと、
を更に含み、前記第１時間ドメインシーケンスの前記Ｍ個の要素に対応する第１位相回転は、それぞれｅ−ｊ×２ｔπ／２Ｍであり、ｔ＝０，１，．．．，Ｍ−１である、請求項４に記載の方法。
【請求項６】
前記第２時間ドメインシーケンスの長さはＭであり、前記第４シーケンスは、前記第２時間ドメインシーケンスの拡張シーケンスに対して２Ｍ×２Ｍ  ＤＦＴを実行することにより得られるシーケンスのＭ個の奇数番号の要素であり、前記第２時間ドメインシーケンスの前記拡張シーケンスの長さは２Ｍであり、前記第２時間ドメインシーケンスの前記拡張シーケンスの最後のＭ個の要素は、それぞれ前記第２時間ドメインシーケンスのＭ個の要素の反数であり、
前記第１時間ドメインシーケンスの長さはＭであり、前記第３シーケンスは、前記第１時間ドメインシーケンスの拡張シーケンスに対して２Ｍ×２Ｍ  ＤＦＴを実行することにより得られるシーケンスのＭ個の偶数番号の要素であり、前記第１時間ドメインシーケンスの前記拡張シーケンスの長さは２Ｍであり、前記第１時間ドメインシーケンスの前記拡張シーケンスの最後のＭ個の要素は、それぞれ前記第２時間ドメインシーケンスのＭ個の要素と同じである、
請求項１に記載の方法。
【請求項７】
送信装置により、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングする前記ステップの前に、
前記送信装置により、前記第１時間ドメインシーケンスｘ（ｋ）及び前記第２時間ドメインシーケンスｙ（ｋ）を取得するステップと、
前記送信装置により、前記第１時間ドメインシーケンスｘ（ｋ）及び前記第２時間ドメインシーケンスｙ（ｋ）の両方を２Ｍの長さを有するシーケンスに拡張するステップであって、前記第１時間ドメインシーケンスの拡張方法はｘ（ｋ＋Ｍ）＝ｘ（ｋ）、ｋ＝０，１，．．．，Ｍ−１であり、前記第２時間ドメインシーケンスの拡張方法はｙ（ｋ＋Ｍ）＝−ｙ（ｋ）、ｋ＝０，１，．．．，Ｍ−１である、ステップと、
を更に含み、
送信装置により、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングする前記ステップは、
前記送信装置により、前記第１時間ドメインシーケンス及び前記第２時間ドメインシーケンスの和に対して２Ｍ×２Ｍ  ＤＦＴを実行し、前記ＤＦＴの後に得られたシーケンスを前記２Ｍ個のサブキャリアにマッピングするステップ、又は、
前記送信装置により、前記第３シーケンスを得るために前記第１時間ドメインシーケンスに対して２Ｍ×２Ｍ  ＤＦＴを実行し、前記Ｍ個の偶数番号のサブキャリアに前記第３シーケンスをマッピングし、前記第４シーケンスを得るために前記第２時間ドメインシーケンスに対して２Ｍ×２Ｍ  ＤＦＴを実行し、前記Ｍ個の奇数番号のサブキャリアに前記第４シーケンスをマッピングするステップ、
を含む、請求項６に記載の方法。
【請求項８】
前記第３シーケンスは前記送信装置により予め決定されたシーケンスである、
請求項１乃至６のいずれか一項に記載の方法。
【請求項９】
前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である、
請求項１乃至８のいずれか一項に記載の方法。
【請求項１０】
前記送信信号は、第１信号及び第２信号を含み、前記Ｍ個の偶数番号のサブキャリアに対応する信号は前記第１信号であり、前記Ｍ個の奇数番号のサブキャリアに対応する信号は前記第２信号であり、
前記送信信号の中で、前記第１信号は第１電力調整値に対応し、前記第２信号は第２電力調整値に対応する、
請求項１乃至９のいずれか一項に記載の方法。
【請求項１１】
信号受信方法であって、
受信装置により、２Ｍ個のサブキャリアから信号を受信するステップであって、前記２Ｍ個のサブキャリアは、同じ時間ドメインシンボル上のサブキャリアである、ステップと、
前記受信装置により、受信された第１シーケンス及び第２シーケンスを得るために、前記信号に対して高速フーリエ変換ＦＦＴを実行するステップであって、前記第１シーケンスは前記２Ｍ個のサブキャリアの中のＭ個の偶数番号のサブキャリアで伝達され、前記第２シーケンスは前記２Ｍ個のサブキャリアの中のＭ個の奇数番号のサブキャリアで伝達され、前記第１シーケンスは第３シーケンス及び第４シーケンスのうちの一方であり、前記第２シーケンスは前記第３シーケンス及び前記第４シーケンスのうちの他方であり、前記第４シーケンスはＭ個の第１情報要素を伝達するシーケンスである、ステップと、
前記受信装置により、前記Ｍ個の第１情報要素を得るために、前記第４シーケンスを伝達するＭ個のサブキャリア上の受信信号に対して信号処理を実行するステップであって、同じ瞬間における前記第３シーケンスに対応する第１時間ドメインシーケンス及び前記第４シーケンスに対応する第２時間ドメインシーケンスの要素について、複合要素が取り出されるとき、前記第１時間ドメインシーケンス及び前記第２時間ドメインシーケンスのうちの一方は同相成分であり、他方は直交成分である、ステップと、
を含む方法。
【請求項１２】
前記第１シーケンスは前記第３シーケンスであり、前記第２シーケンスは前記第４シーケンスであり、
前記受信装置により、前記Ｍ個の第１情報要素を得るために、前記第４シーケンスを伝達するＭ個のサブキャリア上の受信信号に対して信号処理を実行する前記ステップは、
前記受信装置により、前記受信した第２時間ドメインシーケンスを得るために、前記Ｍ個の奇数番号のサブキャリアで伝達される前記受信した第４時間シーケンスに対して第２結合変換を実行するステップであって、前記第２結合変換は、逆離散型フーリエ変換ＩＤＦＴと第２位相回転との結合変換である、ステップと、
前記受信装置により、前記Ｍ個の第１情報要素を得るために、前記受信した第２時間ドメインシーケンスを復調するステップと、
を含む、請求項１１に記載の方法。
【請求項１３】
前記第１時間ドメインシーケンスは、前記第１シーケンスに対してＩＤＦＴを実行することにより得られるシーケンスであり、
前記Ｍ個の要素に対応する第２位相回転は、それぞれｅｊ×２ｔπ／２Ｍ、ｔ＝０，１，．．．，Ｍ−１である、
請求項１２に記載の方法。
【請求項１４】
前記第１シーケンスは前記第４シーケンスであり、前記第２シーケンスは前記第３シーケンスであり、前記第１時間ドメインシーケンスは前記第３シーケンスに対して第２結合変換を実行することにより得られるシーケンスであり、前記第２結合変換はＭ×Ｍ  ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
前記受信装置により、前記Ｍ個の第１情報要素を得るために、前記第４シーケンスを伝達するＭ個のサブキャリア上の受信信号に対して信号処理を実行する前記ステップは、
前記受信装置により、前記受信した第２時間ドメインシーケンスを得るために、前記Ｍ個の偶数番号のサブキャリアで伝達される前記受信した第４シーケンスに対してＭ×Ｍ  ＩＤＦＴを実行するステップと、
前記受信装置により、前記Ｍ個の第１情報要素を得るために、前記受信した第２時間ドメインシーケンスを復調するステップと、
を含む、請求項１１に記載の方法。
【請求項１５】
前記受信装置により、受信された第１シーケンス及び第２シーケンスを得るために、前記信号に対してＦＦＴを実行する前記ステップの後に、前記方法は、
前記受信装置により、前記第１時間ドメインシーケンスを得るために、前記受信した第２シーケンスに対して前記第２結合変換を実行するステップであって、前記第２結合変換は、前記Ｍ×Ｍ  ＩＤＦＴと前記第２位相回転との前記結合変換であり、前記第１時間ドメインシーケンスの前記Ｍ個の要素に対応する前記第２位相回転は、それぞれｅｊ×２ｔπ／２Ｍ、ｔ＝０，１，．．．，Ｍ−１である、ステップと、
前記受信装置により、前記受信した第１時間ドメインシーケンスにより伝達されるＭ個の第２情報要素を得るために、前記受信した第１時間ドメインシーケンスを復調するステップと、
を更に含む請求項１４に記載の方法。
【請求項１６】
前記受信装置により、前記Ｍ個の第１情報要素を得るために、前記第４シーケンスを伝達するＭ個のサブキャリア上の受信信号に対して信号処理を実行する前記ステップは、
前記受信装置により、長さが２Ｍになるよう０を挿入することにより前記受信した第４シーケンスを拡張するステップと、
前記受信した第２時間ドメインシーケンスを得るために、拡張した受信した第４シーケンスに対して２Ｍ×２Ｍ  ＩＤＦＴを実行するステップであって、前記受信した第２時間ドメインシーケンスは、前記ＩＤＦＴの後に得られたシーケンスの最初のＭ個の要素、又は前記ＩＤＦＴの後に得られたシーケンスの最後のＭ個の要素の反数である、ステップと、
前記Ｍ個の第１情報要素を得るために、前記受信した第２時間ドメインシーケンスを復調するステップと、
を含む、請求項１１に記載の方法。
【請求項１７】
前記受信装置により、受信された第１シーケンス及び第２シーケンスを得るために、前記信号に対して高速フーリエ変換ＦＦＴを実行する前記ステップの後に、前記方法は、
前記受信装置により、長さが２Ｍになるように０を挿入することにより前記受信した第３シーケンスを拡張するステップと、
拡張した受信した第３シーケンスに対して２Ｍ×２Ｍ  ＩＤＦＴを実行するステップであって、前記受信した第１時間ドメインシーケンスは、前記ＩＤＦＴの後に得られたシーケンスの最初のＭ個の要素、又は前記ＩＤＦＴの後に得られたシーケンスの最後のＭ個の要素である、ステップと、
前記受信装置により、前記第３シーケンスにより伝達されるＭ個の第２情報要素を得るために、前記受信した第１時間ドメインシーケンスを復調するステップと、
を更に含む請求項１６に記載の方法。
【請求項１８】
前記受信装置により、受信された第１シーケンス及び第２シーケンスを得るために、前記信号に対して高速フーリエ変換ＦＦＴを実行する前記ステップの後に、前記方法は、
前記受信装置により、前記受信した第３シーケンスに従いチャネル推定を実行するステップ、
を更に含む請求項１１乃至１４のいずれか一項に記載の方法。
【請求項１９】
前記第３シーケンスは前記受信装置により予め決定されたシーケンスである、
請求項１１乃至１４、請求項１６、又は請求項１８のいずれか一項に記載の方法。
【請求項２０】
前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である、
請求項１１乃至１９のいずれか一項に記載の方法。
【請求項２１】
信号送信装置であって、処理モジュールと送信モジュールとを含み、
前記処理モジュールは、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングするよう構成され、前記第１シーケンスは第３シーケンス及び第４シーケンスのうちの一方であり、前記第２シーケンスは前記第３シーケンス及び前記第４シーケンスのうちの他方であり、前記２Ｍ個のサブキャリアは同じ時間ドメインシンボル上のサブキャリアであり、前記第４シーケンスはＭ個の第１情報要素を伝達するシーケンスであり、同じ瞬間における前記第４シーケンスに対応する第２時間ドメインシーケンス及び前記第３シーケンスに対応する第１時間ドメインシーケンスの要素について、複合要素が取り出されるとき、前記第１時間ドメインシーケンス及び前記第２時間ドメインシーケンスの一方は同相成分であり、他方は直交成分であり、
前記処理モジュールは、送信信号を生成するために、前記２Ｍ個のサブキャリアにマッピングされたシーケンスを時間ドメインに変換するよう更に構成され、
前記送信モジュールは、前記処理モジュールにより生成された前記送信信号を送信するよう構成される、
装置。
【請求項２２】
前記第１シーケンスは前記第３シーケンスであり、前記第２シーケンスは前記第４シーケンスであり、
前記処理モジュールは、前記２Ｍ個のサブキャリアの中の前記Ｍ個の奇数番号のサブキャリアに前記第２シーケンスをマッピングする前に、前記第２シーケンスを得るために前記第２時間ドメインシーケンスに対して第１結合変換を実行するよう更に構成され、前記第１結合変換は、第１位相回転とＭ×Ｍ離散型フーリエ変換ＤＦＴとの結合変換である、
請求項２１に記載の装置。
【請求項２３】
前記第１時間ドメインシーケンスは、前記第１シーケンスに対して逆離散型フーリエ変換ＩＤＦＴを実行することにより得られるシーケンスであり、
前記処理モジュールは、以下の方法：
前記第２時間ドメインシーケンスのＭ個の要素に対してそれぞれ対応する第１位相回転を実行し、前記第２シーケンスを得るために前記回転された第２時間ドメインシーケンスに対してＭ×Ｍ  ＤＦＴを実行するステップであって、
前記Ｍ個の要素に対応する前記第１位相回転は、それぞれｅ−ｊ×２ｔπ／２Ｍ、ｔ＝０，１，．．．，Ｍ−１である、ステップ、
で、前記第２シーケンスを得るために前記第２時間ドメインシーケンスに対して前記第１結合変換を実行するよう構成される、請求項２２に記載の装置。
【請求項２４】
前記第１シーケンスは前記第４シーケンスであり、前記第２シーケンスは前記第３シーケンスであり、前記第１時間ドメインシーケンスは、前記第２シーケンスに対して第２結合変換を実行することにより得られるシーケンスであり、前記第２結合変換は、Ｍ×Ｍ逆離散型フーリエ変換ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
前記処理モジュールは、以下の方法：前記第１シーケンスを得るために前記第２時間ドメインシーケンスに対してＤＦＴを実行し、前記Ｍ個の偶数番号のサブキャリアに前記第１シーケンスをマッピングするステップで、前記２Ｍ個のサブキャリアの中の前記Ｍ個の偶数番号のサブキャリアに前記第１シーケンスをマッピングするよう構成される、
請求項２１に記載の装置。
【請求項２５】
前記２Ｍ個のサブキャリアの中の前記Ｍ個の偶数番号のサブキャリアに前記第１シーケンスをマッピングし、前記２Ｍ個のサブキャリアの中の前記Ｍ個の奇数番号のサブキャリアに前記第２シーケンスをマッピングする前に、前記処理モジュールは、
前記第１時間ドメインシーケンス及び前記第２時間ドメインシーケンスを取得し、前記第３シーケンスを得るために前記第１時間ドメインシーケンスに対して第１結合変換を実行し、前記第１結合変換は、第１位相回転とＭ×Ｍ離散型フーリエ変換ＤＦＴとの結合変換であり、前記第４シーケンスを得るために前記第２時間ドメインシーケンスに対して前記ＤＦＴを実行するよう更に構成され、
前記第１時間ドメインシーケンスの前記Ｍ個の要素に対応する第１位相回転は、それぞれｅ−ｊ×２ｔπ／２Ｍ、ｔ＝０，１，．．．，Ｍ−１である、請求項２４に記載の装置。
【請求項２６】
前記第２時間ドメインシーケンスの長さはＭであり、前記第４シーケンスは、前記第２時間ドメインシーケンスの拡張シーケンスに対して２Ｍ×２Ｍ  ＤＦＴを実行することにより得られるシーケンスのＭ個の奇数番号の要素であり、前記第２時間ドメインシーケンスの前記拡張シーケンスの長さは２Ｍであり、前記第２時間ドメインシーケンスの前記拡張シーケンスの最後のＭ個の要素は、それぞれ前記第２時間ドメインシーケンスのＭ個の要素の反数であり、
前記第１時間ドメインシーケンスの長さはＭであり、前記第３シーケンスは、前記第１時間ドメインシーケンスの拡張シーケンスに対して２Ｍ×２Ｍ  ＤＦＴを実行することにより得られるシーケンスのＭ個の偶数番号の要素であり、前記第１時間ドメインシーケンスの前記拡張シーケンスの長さは２Ｍであり、前記第１時間ドメインシーケンスの前記拡張シーケンスの最後のＭ個の要素は、それぞれ前記第２時間ドメインシーケンスのＭ個の要素と同じである、
請求項２１に記載の装置。
【請求項２７】
前記２Ｍ個のサブキャリアの中の前記Ｍ個の偶数番号のサブキャリアに前記第１シーケンスをマッピングし、前記２Ｍ個のサブキャリアの中の前記Ｍ個の奇数番号のサブキャリアに前記第２シーケンスをマッピングする前に、前記処理モジュールは、
前記第１時間ドメインシーケンスｘ（ｋ）及び前記第２時間ドメインシーケンスｙ（ｋ）を取得し、
前記第１時間ドメインシーケンスｘ（ｋ）及び前記第２時間ドメインシーケンスｙ（ｋ）の両方を２Ｍの長さを有するシーケンスに拡張するよう構成され、前記第１時間ドメインシーケンスの拡張方法はｘ（ｋ＋Ｍ）＝ｘ（ｋ）、ｋ＝０，１，．．．，Ｍ−１であり、前記第２時間ドメインシーケンスの拡張方法はｙ（ｋ＋Ｍ）＝−ｙ（ｋ）、ｋ＝０，１，．．．，Ｍ−１であり、
前記処理モジュールは、以下の方法：
前記第１時間ドメインシーケンス及び前記第２時間ドメインシーケンスの和に対して２Ｍ×２Ｍ  ＤＦＴを実行し、前記ＤＦＴの後に得られたシーケンスを前記２Ｍ個のサブキャリアにマッピングするステップ、又は、
前記第３シーケンスを得るために前記第１時間ドメインシーケンスに対して２Ｍ×２Ｍ  ＤＦＴを実行し、前記Ｍ個の偶数番号のサブキャリアに前記第３シーケンスをマッピングし、前記第４シーケンスを得るために前記第２時間ドメインシーケンスに対して２Ｍ×２Ｍ  ＤＦＴを実行し、前記Ｍ個の奇数番号のサブキャリアに前記第４シーケンスをマッピングするステップ、
で、前記２Ｍ個のサブキャリアの中の前記Ｍ個の偶数番号のサブキャリアに前記第１シーケンスをマッピングし、前記２Ｍ個のサブキャリアの中の前記Ｍ個の奇数番号のサブキャリアに前記第２シーケンスをマッピングする、請求項２６に記載の装置。
【請求項２８】
前記第３シーケンスは前記装置により予め決定されたシーケンスである、
請求項２１乃至２７のいずれか一項に記載の装置。
【請求項２９】
前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である、
請求項２１乃至２８のいずれか一項に記載の装置。
【請求項３０】
前記送信信号は、第１信号及び第２信号を含み、前記Ｍ個の偶数番号のサブキャリアに対応する信号は前記第１信号であり、前記Ｍ個の奇数番号のサブキャリアに対応する信号は前記第２信号であり、
前記送信信号の中で、前記第１信号は第１電力調整値に対応し、前記第２信号は第２電力調整値に対応する、
請求項２１乃至２９のいずれか一項に記載の装置。
【請求項３１】
信号受信装置であって、受信モジュールと処理モジュールとを含み、
前記受信モジュールは、２Ｍ個のサブキャリアから信号を受信するよう構成され、前記２Ｍ個のサブキャリアは、同じ時間ドメインシンボル上のサブキャリアであり、
前記処理モジュールは、受信された第１シーケンス及び第２シーケンスを得るために、前記受信モジュールにより受信された前記信号に対して高速フーリエ変換ＦＦＴを実行するよう構成され、前記第１シーケンスは前記２Ｍ個のサブキャリアの中のＭ個の偶数番号のサブキャリアで伝達され、前記第２シーケンスは前記２Ｍ個のサブキャリアの中のＭ個の奇数番号のサブキャリアで伝達され、前記第１シーケンスは第３シーケンス及び第４シーケンスのうちの一方であり、前記第２シーケンスは前記第３シーケンス及び前記第４シーケンスのうちの他方であり、前記第４シーケンスはＭ個の第１情報要素を伝達するシーケンスであり、
前記処理モジュールは、前記Ｍ個の第１情報要素を得るために、前記第４シーケンスを伝達するＭ個のサブキャリア上の受信信号に対して信号処理を実行するよう更に構成され、同じ瞬間における前記第３シーケンスに対応する第１時間ドメインシーケンス及び前記第４シーケンスに対応する第２時間ドメインシーケンスの要素について、複合要素が取り出されるとき、前記第１時間ドメインシーケンス及び前記第２時間ドメインシーケンスのうちの一方は同相成分であり、他方は直交成分である、
装置。
【請求項３２】
前記第１シーケンスは前記第３シーケンスであり、前記第２シーケンスは前記第４シーケンスであり、
前記処理モジュールは、以下の方法：
前記受信した第２時間ドメインシーケンスを得るために、前記Ｍ個の奇数番号のサブキャリアで伝達される前記受信した第２シーケンスに対して第２結合変換を実行するステップであって、前記第２結合変換は、逆離散型フーリエ変換ＩＤＦＴと第２位相回転との結合変換である、ステップと、
前記Ｍ個の第１情報要素を得るために、前記受信した第２時間ドメインシーケンスを復調するステップと、
で、前記Ｍ個の第１情報要素を得るために、前記第４シーケンスを伝達する前記Ｍ個のサブキャリア上の前記受信信号に対して前記信号処理を実行するよう構成される、請求項３１に記載の装置。
【請求項３３】
前記第１時間ドメインシーケンスは、前記第１シーケンスに対してＩＤＦＴを実行することにより得られるシーケンスであり、
前記第１時間ドメインシーケンスの前記Ｍ個の要素に対応する第２位相回転は、それぞれｅｊ×２ｔπ／２Ｍ、ｔ＝０，１，．．．，Ｍ−１である、
請求項３２に記載の装置。
【請求項３４】
前記第１シーケンスは前記第４シーケンスであり、前記第２シーケンスは前記第３シーケンスであり、前記第１時間ドメインシーケンスは前記第３シーケンスに対して第２結合変換を実行することにより得られるシーケンスであり、前記第２結合変換はＭ×Ｍ  ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
前記処理モジュールは、以下の方法：
前記受信した第２時間ドメインシーケンスを得るために、前記Ｍ個の偶数番号のサブキャリアで伝達される前記受信した第１シーケンスに対してＭ×Ｍ  ＩＤＦＴを実行するステップと、
前記Ｍ個の第１情報要素を得るために、前記受信した第２時間ドメインシーケンスを復調するステップと、
で、前記Ｍ個の第１情報要素を得るために、前記第４シーケンスを伝達する前記Ｍ個のサブキャリア上の前記受信信号に対して前記信号処理を実行する、請求項３１に記載の装置。
【請求項３５】
受信された前記第１シーケンス及び前記第２シーケンスを得るために、前記信号に対して前記ＦＦＴを実行した後に、前記処理モジュールは、
前記受信した第１時間ドメインシーケンスを得るために、前記受信した第２シーケンスに対して前記第２結合変換を実行し、前記第２結合変換は、前記Ｍ×Ｍ  ＩＤＦＴと前記第２位相回転との前記結合変換であり、前記Ｍ個の要素に対応する前記第２位相回転は、それぞれｅｊ×２ｔπ／２Ｍ、ｔ＝０，１，．．．，Ｍ−１であり、
前記受信した第１時間ドメインシーケンスにより伝達されるＭ個の第２情報要素を得るために、前記受信した第１時間ドメインシーケンスを復調する、
よう更に構成される、請求項３４に記載の装置。
【請求項３６】
前記受信装置が、前記Ｍ個の第１情報要素を得るために、前記第４シーケンスを伝達するＭ個のサブキャリア上の受信信号に対して信号処理を実行することは、
前記受信装置により、長さが２Ｍになるよう０を挿入することにより前記受信した第４シーケンスを拡張し、
拡張した受信した第４シーケンスに対して２Ｍ×２Ｍ  ＩＤＦＴを実行し、前記受信した第２時間ドメインシーケンスは、前記ＩＤＦＴの後に得られたシーケンスの最初のＭ個の要素、又は前記ＩＤＦＴの後に得られたシーケンスの最後のＭ個の要素の反数であり、
前記Ｍ個の第１情報要素を得るために、前記受信した第２時間ドメインシーケンスを復調する、
ことを含む、請求項３１に記載の装置。
【請求項３７】
受信された前記第１シーケンス及び前記第２シーケンスを得るために、前記信号に対して前記高速フーリエ変換ＦＦＴを実行した後に、前記処理モジュールは、
長さが２Ｍになるように０を挿入することにより前記受信した第３シーケンスを拡張し、
拡張した受信した第３シーケンスに対して２Ｍ×２Ｍ  ＩＤＦＴを実行し、前記受信した第１時間ドメインシーケンスは、前記ＩＤＦＴの後に得られたシーケンスの最初のＭ個の要素、又は前記ＩＤＦＴの後に得られたシーケンスの最後のＭ個の要素であり、
前記受信した第３シーケンスにより伝達されるＭ個の第２情報要素を得るために、前記受信した第１時間ドメインシーケンスを復調する、
よう更に構成される、請求項３６に記載の装置。
【請求項３８】
前記受信装置が、受信された前記第１シーケンス及び前記第２シーケンスを得るために、前記信号に対して前記高速フーリエ変換ＦＦＴを実行した後に、前記装置は、
前記受信装置が、前記受信した第３シーケンスに従いチャネル推定を実行すること、を更に含む、請求項３１乃至３４又は請求項３６のいずれか一項に記載の装置。
【請求項３９】
前記第３シーケンスは前記装置により予め決定されたシーケンスである、
請求項２１乃至３４、請求項３６、又は請求項３８のいずれか一項に記載の装置。
【請求項４０】
前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である、
請求項３１乃至３９のいずれか一項に記載の装置。
【請求項４１】
記録されたプログラムを有するコンピュータ可読記憶媒体であって、前記プログラムは、コンピュータに請求項１乃至１０のいずれか一項に記載の方法を実行させる、コンピュータ可読記憶媒体。
【請求項４２】
記録されたプログラムを有するコンピュータ可読記憶媒体であって、前記プログラムは、コンピュータに請求項１１乃至２０のいずれか一項に記載の方法を実行させる、コンピュータ可読記憶媒体。
【発明の詳細な説明】
【技術分野】
【０００１】
本発明は、通信システムの分野に関し、特に信号送信又は受信方法及び機器に関する。
【背景技術】
【０００２】
最新の通信システム（例えば、グローバルシステム・フォー・モバイルコミュニケーション（Global  System  for  Mobile  Communications、ＧＳＭ）、符号分割多重接続２０００（Code  Division  Multiple  Access  ２０００、ＣＤＭＡ２０００）、広帯域符号分割多重接続（Wideband  Code  Division  Multiple  Access、ＷＣＤＭＡ）システム、及び第３世代パートナシッププロジェクト（３rd  Generation  Partnership  Project、３ＧＰＰ）ロングタームエボリューション（Long  Term  Evolution、ＬＴＥ）システム）は、一般的に、３ＧＨｚより低いキャリアで動作する。知的端末、特にビデオサービスの出現に伴い、現在のスペクトルリソースは、ユーザの容量要件の爆発的増加を殆ど満たすことができない。より高い利用可能帯域幅を有する高い周波数帯、特にミリ波帯は、次第に、次世代通信システムの候補周波数帯になってきている。例えば、３ＧＨｚ乃至２００ＧＨｚの範囲にあるキャリアの見込み利用可能帯域幅は、約２５０ＧＨｚである。したがって、将来の通信システムでは、送信機に対する要件を軽減するために、高効率信号送信方法、例えば、低いピーク対平均比を有する送信方法が検討される必要がある。
【０００３】
直交周波数分割多重（Orthogonal  Frequency  Division  Multiplexing、ＯＦＤＭ）技術は、通常、現在のＬＴＥシステムにおいてダウンリンク信号送信のために使用される。このような強力な対マルチパス干渉能力、離散型フーリエ変換の簡易実装、及び複数アンテナ送信技術に好都合であること、のような特徴により、ＯＦＤＭ技術は大々的に研究され適用されている。離散型フーリエ変換拡散ＯＦＤＭ（Discrete  Fourier  Transmform−Spread−OFDM、ＤＦＴ−Ｓ−ＯＦＤＭ）ソリューションは、アップリンク信号送信のために使用される。ＤＦＴ拡散ＯＦＤＭ信号のピーク対平均比性能は、シングルキャリア信号のものに近い。異なるユーザ機器により占有されるサブキャリアグループが重なり合わないとき、シングルキャリア直交周波数分割多重接続ソリューションを得るために、直交周波数分割多重が実施できる。
【０００４】
ＤＦＴ−Ｓ−ＯＦＤＭに基づき且つ現在のＬＴＥにおいて定められているシングルキャリア周波数分割多重接続（Single  Carrier−Frequency  DivisionMultiple  Access、ＳＣ−ＦＤＭＡ）送信は、ＤＦＴ変換が実行される前の時間ドメイン信号エンベロープが、シングルキャリア特徴を満たす、又は比較的良好なピーク対平均比特性（又は比較的良好な三次元計量（cubic  metric、ＣＭ）特性）を有することを意味する。したがって、送信信号の比較的低いピーク対平均比が得られる。周波数ドメインでは、ＳＣ−ＦＤＭＡ送信は、集中型方法又は分散型方法で実施され得る。集中型ＳＣ−ＦＤＭＡ送信では、１つのＵＥの１つの送信信号は、周波数ドメインにおいて連続周波数スペクトルを占有し（つまり、周波数ドメインサブキャリアが連続する）、全体システム帯域幅の一部を占有する。分散型ＳＣ−ＦＤＭＡ送信では、１つのＵＥの１つの送信信号は、周波数ドメインにおいて複数の不連続な等間隔サブキャリアを占有する。周波数分割多重は、１つのユーザ機器の２つのチャネル又は２つのユーザ機器の２つのチャネルに対して実行されて良い。それにより、２つのチャネルの間に僅かな干渉しか存在しないことを保証する。１つのＵＥの複数の信号又はチャネルの送信では、ピーク対平均比性能をシングルキャリア信号のものに近く保つために、各端末装置のアップリンク制御チャネル及びアップリンク参照信号（例えば、復調参照信号（Demodulation  Reference  Signal、ＤＭＲＳ））は、時分割多重方法で送信され、あるいは、各ユーザのアップリンクデータチャネル及びアップリンク参照信号は、時分割多重方法で送信される。つまり、シングルキャリア信号送信のものに近い低いピーク対平均比性能を保つために、複数の信号又はチャネルは、異なる時間ドメインシンボルで送信される。
【０００５】
しかしながら、従来技術では、端末装置が２つの周波数分割及び直交信号を１つの時間ドメインシンボルで同時に送信し且つ２つの信号の重畳により引き起こされる高いピーク対平均比を低減できる技術的ソリューションが存在しない。
【発明の概要】
【０００６】
本発明の実施形態は、同じ時間ドメインシンボルで２つの周波数分割及び直交信号を同時に送信し、及び２つの信号の重畳により引き起こされる高いピーク対平均比を低減するために、信号送信又は受信方法及び装置を提供する。
【０００７】
第１の態様によると、本発明の一実施形態は、信号送信方法であって、
送信装置により、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングするステップであって、前記第１シーケンスは第３及び第４シーケンスのうちの一方であり、前記第２シーケンスは前記第３及び前記第４シーケンスのうちの他方であり、前記２Ｍ個のサブキャリアは同じ時間ドメインシンボル上のサブキャリアであり、前記第４シーケンスはＭ個の第１情報要素を伝達するシーケンスであり、前記第４シーケンスに対応する第２時間ドメインシーケンス及び前記第３シーケンスに対応する第１時間ドメインシーケンスの要素について、複合要素が取り出されるとき、前記第１時間ドメインシーケンス及び前記第２時間ドメインシーケンスの一方は同相成分であり、他方は直交成分である、ステップと、
前記送信装置により、送信信号を生成するために、前記２Ｍ個のサブキャリアにマッピングされたシーケンスを時間ドメインに変換するステップと、
前記送信装置により、前記送信信号を送信するステップと、を含む方法を提供する。
【０００８】
第１の態様の第１の可能な実装を参照して、第１の可能な実装では、前記第１シーケンスは前記第３シーケンスであり、前記第２シーケンスは前記第４シーケンスであり、
前記２Ｍ個のサブキャリアの中のＭ個の奇数番号のサブキャリアに第２シーケンスをマッピングする前記ステップの前に、前記方法は、
前記送信装置により、前記第２シーケンスを得るために前記第２時間ドメインシーケンスに対して第１結合変換を実行するステップであって、前記第１結合変換は、第１位相回転とＭ×Ｍ離散フーリエ変換ＤＦＴとの結合変換である、ステップと、を更に含む。
【０００９】
第１の態様の第２の可能な実装では、前記第１時間ドメインシーケンスは、前記第１シーケンスに対して逆離散型フーリエ変換ＩＤＦＴを実行することにより得られたシーケンスであり、
前記第１時間ドメインシーケンスのＭ個の要素に対応する第１位相回転は、それぞれｅ−ｊ×２ｔπ／２Ｍ、ｔ＝０，１，．．．，Ｍ−１である。
【００１０】
第１の態様の第３の可能な実装では、前記第１シーケンスは前記第４シーケンスであり、前記第２シーケンスは前記第３シーケンスであり、前記第１時間ドメインシーケンスは、前記第２シーケンスに対して第２結合変換を実行することにより得られたシーケンスであり、前記第２結合変換はＭ×Ｍ逆離散型フーリエ変換ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
第１シーケンスを２Ｍ個のサブキャリアの中のＭ個の偶数番号のサブキャリアにマッピングする前記ステップは、前記送信装置により、前記第４シーケンスを得るために、前記第２時間ドメインシーケンスに対してＤＦＴを実行し、前記第４シーケンスを前記Ｍ個の偶数番号のサブキャリアにマッピングするステップを含む。
【００１１】
第１の態様の第３の可能な実装を参照して、第１の態様の第４の可能な実装では、前記送信装置により、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングする前記ステップの前に、前記方法は、
前記送信装置により、前記第１時間ドメインシーケンス及び前記第２時間ドメインシーケンスを取得するステップと、
前記送信装置により、前記第３シーケンスを得るために、前記第１時間ドメインシーケンスに対して第１結合変換を実行するステップであって、前記第１結合変換は、第１位相回転とＭ×Ｍ離散型フーリエ変換ＤＦＴとの結合変換である、ステップと、
前記第４シーケンスを得るために、前記第２時間ドメインシーケンスに対して前記ＤＦＴを実行するステップと、を更に含み、
前記第１時間ドメインシーケンスの前記Ｍ個の要素に対応する第１位相回転は、それぞれｅ−ｊ×２ｔπ／２Ｍであり、ｔ＝０，１，．．．，Ｍ−１である。
【００１２】
第１の態様の第５の可能な実装では、前記第２時間ドメインシーケンスの長さはＭであり、前記第４シーケンスは、前記第２時間ドメインシーケンスの拡張シーケンスに対して２Ｍ×２Ｍ  ＤＦＴを実行することにより得られるシーケンスのＭ個の奇数番号の要素であり、前記第２時間ドメインシーケンスの前記拡張シーケンスの長さは２Ｍであり、前記第２時間ドメインシーケンスの前記拡張シーケンスの最後のＭ個の要素は、それぞれ前記第２時間ドメインシーケンスのＭ個の要素の反数であり、
前記第１時間ドメインシーケンスの長さはＭであり、前記第３シーケンスは、前記第１時間ドメインシーケンスの拡張シーケンスに対して２Ｍ×２Ｍ  ＤＦＴを実行することにより得られるシーケンスのＭ個の偶数番号の要素であり、前記第１時間ドメインシーケンスの前記拡張シーケンスの長さは２Ｍであり、前記第１時間ドメインシーケンスの前記拡張シーケンスの最後のＭ個の要素は、それぞれ前記第２時間ドメインシーケンスのＭ個の要素と同じである。
【００１３】
第１の態様の第５の可能な実装を参照して、第１の態様の第６の可能な実装では、送信装置により、第１シーケンスを２Ｍ個のサブキャリアの中のＭ個の偶数番号のサブキャリアにマッピングし、第２シーケンスを２Ｍ個のサブキャリアの中のＭ個の奇数番号のサブキャリアにマッピングするステップの前に、前記方法は、
前記送信装置により、前記第１時間ドメインシーケンスｘ（ｋ）及び前記第２時間ドメインシーケンスｙ（ｋ）を取得するステップと、
前記送信装置により、前記第１時間ドメインシーケンスｘ（ｋ）及び前記第２時間ドメインシーケンスｙ（ｋ）の両方を２Ｍの長さを有するシーケンスに拡張するステップであって、前記第１時間ドメインシーケンスの拡張方法はｘ（ｋ＋Ｍ）＝ｘ（ｋ）、ｋ＝０，１，．．．，Ｍ−１であり、第２時間ドメインシーケンスの拡張方法はｙ（ｋ＋Ｍ）＝−ｙ（ｋ）、ｋ＝０，１，．．．，Ｍ−１である、ステップと、を更に含み、
送信装置により、第１シーケンスを２Ｍ個のサブキャリアの中のＭ個の偶数番号のサブキャリアにマッピングし、第２シーケンスを２Ｍ個のサブキャリアの中のＭ個の奇数番号のサブキャリアにマッピングする前記ステップは、
前記送信装置により、前記第１時間ドメインシーケンス及び前記第２時間ドメインシーケンスの和に対して２Ｍ×２Ｍ  ＤＦＴを実行し、前記ＤＦＴの後に得られたシーケンスを前記２Ｍ個のサブキャリアにマッピングするステップ、又は、
前記送信装置により、前記第３シーケンスを得るために、前記第１時間ドメインシーケンスに対して２Ｍ×２Ｍ  ＤＦＴを実行し、前記第３シーケンスを前記Ｍ個の偶数番号のサブキャリアにマッピングし、前記第４シーケンスを得るために、前記第２時間ドメインシーケンスに対して２Ｍ×２Ｍ  ＤＦＴを実行し、前記第４シーケンスを前記Ｍ個の奇数番号のサブキャリアにマッピングするステップ、を含む。
【００１４】
第１の態様又は第１の態様の可能な実装のうちのいずれか１つを参照して、第７の可能な実装では、前記第３シーケンスは前記送信装置により予め決定されたシーケンスである。
【００１５】
第１の態様又は第１の態様の可能な実装のうちのいずれか１つを参照して、第８の可能な実装では、前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である。
【００１６】
第１の態様又は第１の態様の可能な実装のうちのいずれか１つを参照して、第９の可能な実装では、前記第１時間ドメインシーケンスは、Ｍ個の第２情報要素を伝達するために前記送信端により予め決定された前記シーケンスを用いて得られたシーケンスである。
【００１７】
第１の態様の第７又は第９の可能な実装を参照して、第１０の可能な実装では、前記予め決定されたシーケンスは、Ｚａｄｏｆｆ−ＣｈｕＺＣシーケンス、ＺＣシーケンスを循環的に拡張することにより得られたシーケンス、ＺＣシーケンスを短縮することにより得られたシーケンス、又はロングタームエボリューションＬＴＥシステムにおける参照信号により使用されるシーケンスに対応するシーケンス、である。
【００１８】
第１の態様又は第１の態様の可能な実装のうちのいずれか１つを参照して、第１１の可能な実装では、前記送信信号は、第１信号及び第２信号を含み、前記Ｍ個の偶数番号のサブキャリアに対応する信号は前記第１信号であり、前記Ｍ個の奇数番号のサブキャリアに対応する信号は前記第２信号であり、
前記送信信号の中で、前記第１信号は第１電力調整値に対応し、前記第２信号は第２電力調整値に対応する。
【００１９】
第１の態様又は第１の態様の可能な実装のうちのいずれか１つを参照して、第１２の可能な実装では、前記２Ｍ個のサブキャリアは、帯域幅全体の全部のサブキャリアであって良く、又は帯域幅全体の幾つかのサブキャリアであって良い。
【００２０】
第２の態様によると、本発明の一実施形態は、信号受信方法であって、
受信装置により、２Ｍ個のサブキャリアから信号を受信するステップであって、前記２Ｍ個のサブキャリアは、同じ時間ドメインシンボル上のサブキャリアである、ステップと、
前記受信装置により、受信された第１シーケンス及び第２シーケンスを得るために、前記信号に対して高速フーリエ変換ＦＦＴを実行するステップであって、前記第１シーケンスは前記２Ｍ個のサブキャリアの中のＭ個の偶数番号のサブキャリアで伝達され、前記第２シーケンスは前記２Ｍ個のサブキャリアの中のＭ個の奇数番号のサブキャリアで伝達され、前記第１シーケンスは前記第３シーケンス及び前記第４シーケンスのうちの一方であり、前記第２シーケンスは前記第３シーケンス及び前記第４シーケンスのうちの他方であり、前記第４シーケンスはＭ個の第１情報要素を伝達するシーケンスである、ステップと、
前記受信装置により、前記Ｍ個の第１情報要素を得るために、前記第４シーケンスを伝達するＭ個のサブキャリア上の受信信号に対して信号処理を実行するステップであって、同じ瞬間における前記第３シーケンスに対応する第１時間ドメインシーケンス及び前記第４シーケンスに対応する第２時間ドメインシーケンスの要素について、複合要素が取り出されるとき、前記第１時間ドメインシーケンス及び前記第２時間ドメインシーケンスのうちの一方は同相成分であり、他方は直交成分である、ステップと、を含む方法を提供する。
【００２１】
第２の態様の第１の可能な実装では、前記第１シーケンスは前記第３シーケンスであり、前記第２シーケンスは前記第４シーケンスであり、
前記受信装置により、前記Ｍ個の第１情報要素を得るために、前記第４シーケンスを伝達するＭ個のサブキャリア上の受信信号に対して信号処理を実行する前記ステップは、
前記受信装置により、前記受信した第２時間ドメインシーケンスを得るために、前記Ｍ個の奇数番号のサブキャリアで伝達される前記受信した第４時間シーケンスに対して第２結合変換を実行するステップであって、前記第２結合変換は、逆離散型フーリエ変換ＩＤＦＴと第２位相回転との結合変換である、ステップと、
前記受信装置により、前記Ｍ個の第１情報要素を得るために、前記受信した第２時間ドメインシーケンスを復調するステップと、を含む。
【００２２】
第２の態様の第１の可能な実装を参照して、第２の可能な実装では、前記第１時間ドメインシーケンスは、前記第１シーケンスに対してＩＤＦＴを実行することにより得られたシーケンスであり、
前記Ｍ個の要素に対応する第２位相回転は、それぞれｅｊ×２ｔπ／２Ｍ、ｔ＝０，１，．．．，Ｍ−１である。
【００２３】
第２の態様の第３の可能な実装では、前記第１シーケンスは前記第４シーケンスであり、前記第２シーケンスは前記第３シーケンスであり、前記第１時間ドメインシーケンスは前記第３シーケンスに対して第２結合変換を実行することにより得られるシーケンスであり、前記第２結合変換はＭ×Ｍ  ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
前記受信装置により、前記Ｍ個の第１情報要素を得るために、前記第４シーケンスを伝達するＭ個のサブキャリア上の受信信号に対して信号処理を実行する前記ステップは、
前記受信装置により、前記受信した第２時間ドメインシーケンスを得るために、前記Ｍ個の偶数番号のサブキャリアで伝達される前記受信した第４シーケンスに対してＭ×Ｍ  ＩＤＦＴを実行するステップと、
前記受信装置により、前記Ｍ個の第１情報要素を得るために、前記受信した第２時間ドメインシーケンスを復調するステップと、を含む。
【００２４】
第２の態様の第３の可能な実装を参照して、第４の可能な実装では、前記受信装置により、受信された第１シーケンス及び第２シーケンスを得るために、前記信号に対してＦＦＴを実行する前記ステップの後に、前記方法は、
前記受信装置により、前記第１時間ドメインシーケンスを得るために、前記受信した第２シーケンスに対して前記第２結合変換を実行するステップであって、前記第２結合変換は、前記Ｍ×Ｍ  ＩＤＦＴと前記第２位相回転との前記結合変換であり、前記第１時間ドメインシーケンスの前記Ｍ個の要素に対応する前記第２位相回転は、それぞれｅｊ×２ｔπ／２Ｍ、ｔ＝０，１，．．．，Ｍ−１である、ステップと、
前記受信装置により、前記受信した第１時間ドメインシーケンスにより伝達されるＭ個の第２情報要素を得るために、前記受信した第１時間ドメインシーケンスを復調するステップと、を更に含む。
【００２５】
第２の態様の第５の可能な実装では、前記受信装置により、前記Ｍ個の第１情報要素を得るために、前記第４シーケンスを伝達するＭ個のサブキャリア上の受信信号に対して信号処理を実行する前記ステップは、
前記受信装置により、長さが２Ｍになるよう０を挿入することにより前記受信した第４シーケンスを拡張するステップと、
前記受信した第２時間ドメインシーケンスを得るために、拡張した受信した第４シーケンスに対して２Ｍ×２Ｍ  ＩＤＦＴを実行するステップであって、前記受信した第２時間ドメインシーケンスは、前記ＩＤＦＴの後に得られたシーケンスの最初のＭ個の要素、又は前記ＩＤＦＴの後に得られたシーケンスの最後のＭ個の要素の反数である、ステップと、
前記Ｍ個の第１情報要素を得るために、前記受信した第２時間ドメインシーケンスを復調するステップと、を含む。
【００２６】
第２の態様の第５の可能な実装を参照して、第６の可能な実装では、前記受信装置により、受信された第１シーケンス及び第２シーケンスを得るために、前記信号に対して高速フーリエ変換ＦＦＴを実行する前記ステップの後に、前記方法は、
前記受信装置により、長さが２Ｍになるように０を挿入することにより前記受信した第３シーケンスを拡張するステップと、
拡張した受信した第３シーケンスに対して２Ｍ×２Ｍ  ＩＤＦＴを実行するステップであって、前記受信した第１時間ドメインシーケンスは、前記ＩＤＦＴの後に得られたシーケンスの最初のＭ個の要素、又は前記ＩＤＦＴの後に得られたシーケンスの最後のＭ個の要素である、ステップと、
前記受信装置により、前記第３シーケンスにより伝達されるＭ個の第２情報要素を得るために、前記受信した第１時間ドメインシーケンスを復調するステップと、を更に含む。
【００２７】
第２の態様又は第２の態様の可能な実装のいずれか１つを参照して、第７の可能な実装では、前記受信装置により、受信された第１シーケンス及び第２シーケンスを得るために、前記信号に対して高速フーリエ変換ＦＦＴを実行する前記ステップの後に、前記方法は、
前記受信装置により、前記受信した第３シーケンスに従い前記チャネル推定を実行するステップ、を更に含む。
【００２８】
第２の態様の第７の可能な実装を参照して、第８の可能な実装では、前記第３シーケンスは前記受信装置により予め決定されたシーケンスである。
【００２９】
第１の態様の第８の可能な実装を参照して、第９の可能な実装では、前記予め決定されたシーケンスは、Ｚａｄｏｆｆ−ＣｈｕＺＣシーケンス、ＺＣシーケンスを循環的に拡張することにより得られたシーケンス、ＺＣシーケンスを短縮することにより得られたシーケンス、又はロングタームエボリューションＬＴＥシステムにおける参照信号により使用されるシーケンスに対応するシーケンス、である。
【００３０】
第２の態様又は第２の態様の可能な実装のうちのいずれか１つを参照して、第１０の可能な実装では、前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である。
【００３１】
第２の態様又は第２の態様の可能な実装のうちのいずれか１つを参照して、第１１の可能な実装では、前記２Ｍ個のサブキャリアは、帯域幅全体の全部のサブキャリアであって良く、又は帯域幅全体の幾つかのサブキャリアであって良い。
【００３２】
第３の態様によると、信号送信装置であって、処理モジュールと送信モジュールとを含み、
前記処理モジュールは、２Ｍ個のサブキャリアの中のＭ個の偶数番号のサブキャリアに第１シーケンスをマッピングし、前記２Ｍ個のサブキャリアの中のＭ個の奇数番号のサブキャリアに第２シーケンスをマッピングするよう構成され、前記第１シーケンスは第３及び第４シーケンスのうちの一方であり、前記第２シーケンスは前記第３及び前記第４シーケンスのうちの他方であり、前記２Ｍ個のサブキャリアは同じ時間ドメインシンボル上のサブキャリアであり、前記第４シーケンスはＭ個の第１情報要素を伝達するシーケンスであり、同じ瞬間における前記第４シーケンスに対応する第２時間ドメインシーケンス及び前記第３シーケンスに対応する第１時間ドメインシーケンスの要素について、複合要素が取り出されるとき、前記第１時間ドメインシーケンス及び前記第２時間ドメインシーケンスの一方は同相成分であり、他方は直交成分であり、
前記処理モジュールは、送信信号を生成するために、前記２Ｍ個のサブキャリアにマッピングされたシーケンスを時間ドメインに変換するよう更に構成され、
前記送信モジュールは、前記処理モジュールにより生成された前記送信信号を送信するよう構成される、信号送信装置が提供される。
【００３３】
第３の態様の第１の可能な実装では、前記第１シーケンスは前記第３シーケンスであり、前記第２シーケンスは前記第４シーケンスであり、
前記処理モジュールは、前記２Ｍ個のサブキャリアの中の前記Ｍ個の奇数番号のサブキャリアに前記第２シーケンスをマッピングする前に、前記第２シーケンスを得るために前記第２時間ドメインシーケンスに対して第１結合変換を実行するよう更に構成され、前記第１結合変換は、第１位相回転とＭ×Ｍ離散型フーリエ変換ＤＦＴとの結合変換である。
【００３４】
第３の態様の第１の可能な実装を参照して、第２の可能な実装では、前記第１時間ドメインシーケンスは、前記第１シーケンスに対して逆離散型フーリエ変換ＩＤＦＴを実行することにより得られるシーケンスであり、
前記処理モジュールは、以下の方法：
前記第２時間ドメインシーケンスのＭ個の要素に対してそれぞれ対応する第１位相回転を実行し、前記第２シーケンスを得るために前記回転された第２時間ドメインシーケンスに対してＭ×Ｍ  ＤＦＴを実行するステップであって、
前記Ｍ個の要素に対応する前記第１位相回転は、それぞれｅ−ｊ×２ｔπ／２Ｍ、ｔ＝０，１，．．．，Ｍ−１である、ステップ、
で、前記第２シーケンスを得るために前記第２時間ドメインシーケンスに対して前記第１結合変換を実行するよう構成される。
【００３５】
第３の態様の第３の可能な実装では、前記第１シーケンスは前記第４シーケンスであり、前記第２シーケンスは前記第３シーケンスであり、前記第１時間ドメインシーケンスは、前記第２シーケンスに対して第２結合変換を実行することにより得られるシーケンスであり、前記第２結合変換は、Ｍ×Ｍ逆離散型フーリエ変換ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
前記処理モジュールは、以下の方法：前記第１シーケンスを得るために前記第２時間ドメインシーケンスに対してＤＦＴを実行するステップ、及び前記Ｍ個の偶数番号のサブキャリアに前記第１シーケンスをマッピングするステップ、で、前記２Ｍ個のサブキャリアの中の前記Ｍ個の偶数番号のサブキャリアに前記第１シーケンスをマッピングするよう構成される。
【００３６】
第３の態様の第３の可能な実装を参照して、第４の可能な実装では、前記２Ｍ個のサブキャリアの中の前記Ｍ個の偶数番号のサブキャリアに前記第１シーケンスをマッピングし、前記２Ｍ個のサブキャリアの中の前記Ｍ個の奇数番号のサブキャリアに前記第２シーケンスをマッピングする前に、前記処理モジュールは、
前記第１時間ドメインシーケンス及び前記第２時間ドメインシーケンスを取得し、前記第３シーケンスを得るために前記第１時間ドメインシーケンスに対して第１結合変換を実行し、前記第１結合変換は、第１位相回転とＭ×Ｍ離散型フーリエ変換ＤＦＴとの結合変換であり、前記第４シーケンスを得るために前記第２時間ドメインシーケンスに対して前記ＤＦＴを実行するよう更に構成され、
前記第１時間ドメインシーケンスの前記Ｍ個の要素に対応する第１位相回転は、それぞれｅ−ｊ×２ｔπ／２Ｍ、ｔ＝０，１，．．．，Ｍ−１である。
【００３７】
第３の態様の第５の可能な実装では、前記第２時間ドメインシーケンスの長さはＭであり、前記第４シーケンスは、前記第２時間ドメインシーケンスの拡張シーケンスに対して２Ｍ×２Ｍ  ＤＦＴを実行することにより得られるシーケンスのＭ個の奇数番号の要素であり、前記第２時間ドメインシーケンスの前記拡張シーケンスの長さは２Ｍであり、前記第２時間ドメインシーケンスの前記拡張シーケンスの最後のＭ個の要素は、それぞれ前記第２時間ドメインシーケンスのＭ個の要素の反数であり、
前記第１時間ドメインシーケンスの長さはＭであり、前記第３シーケンスは、前記第１時間ドメインシーケンスの拡張シーケンスに対して２Ｍ×２Ｍ  ＤＦＴを実行することにより得られるシーケンスのＭ個の偶数番号の要素であり、前記第１時間ドメインシーケンスの前記拡張シーケンスの長さは２Ｍであり、前記第１時間ドメインシーケンスの前記拡張シーケンスの最後のＭ個の要素は、それぞれ前記第２時間ドメインシーケンスのＭ個の要素と同じである。
【００３８】
第３の態様の第５の可能な実装を参照して、第６の可能な実装では、前記２Ｍ個のサブキャリアの中の前記Ｍ個の偶数番号のサブキャリアに前記第１シーケンスをマッピングし、前記２Ｍ個のサブキャリアの中の前記Ｍ個の奇数番号のサブキャリアに前記第２シーケンスをマッピングする前に、前記処理モジュールは、
前記第１時間ドメインシーケンスｘ（ｋ）及び前記第２時間ドメインシーケンスｙ（ｋ）を取得し、
前記第１時間ドメインシーケンスｘ（ｋ）及び前記第２時間ドメインシーケンスｙ（ｋ）を２Ｍの長さを有するシーケンスに拡張し、第１時間ドメインシーケンスの拡張方法はｘ（ｋ＋Ｍ）＝ｘ（ｋ）、ｋ＝０，１，．．．，Ｍ−１であり、第２時間ドメインシーケンスの拡張方法はｙ（ｋ＋Ｍ）＝−ｙ（ｋ）、ｋ＝０，１，．．．，Ｍ−１である、よう更に構成され、
前記処理モジュールは、以下の方法：
前記第１時間ドメインシーケンス及び前記第２時間ドメインシーケンスの和に対して２Ｍ×２Ｍ  ＤＦＴを実行し、前記ＤＦＴの後に得られたシーケンスを前記２Ｍ個のサブキャリアにマッピングするステップ、又は、
前記第３シーケンスを得るために、前記第１時間ドメインシーケンスに対して２Ｍ×２Ｍ  ＤＦＴを実行し、前記Ｍ個の偶数番号のサブキャリアに前記第３シーケンスをマッピングし、前記第４シーケンスを得るために、前記第２時間ドメインシーケンスに対して２Ｍ×２Ｍ  ＤＦＴを実行し、前記Ｍ個の奇数番号のサブキャリアに前記第４シーケンスをマッピングするステップ、
で、前記２Ｍ個のサブキャリアの中の前記Ｍ個の偶数番号のサブキャリアに前記第１シーケンスをマッピングし、前記２Ｍ個のサブキャリアの中の前記Ｍ個の奇数番号のサブキャリアに前記第２シーケンスをマッピングする。
【００３９】
第３の態様又は第３の態様の可能な実装のうちのいずれか１つを参照して、第７の可能な実装では、前記第３シーケンスは前記装置により予め決定されたシーケンスである。
【００４０】
第３の態様又は第３の態様の可能な実装のうちのいずれか１つを参照して、第８の可能な実装では、前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である。
【００４１】
第３の態様又は第３の態様の可能な実装のうちのいずれか１つを参照して、第９の可能な実装では、前記第１時間ドメインシーケンスは、Ｍ個の第２情報要素を伝達するために前記装置により予め決定された前記シーケンスを用いて得られたシーケンスである。
【００４２】
第３の態様の第７又は第９の可能な実装を参照して、第１０の可能な実装では、前記予め決定されたシーケンスは、Ｚａｄｏｆｆ−ＣｈｕＺＣシーケンス、ＺＣシーケンスを循環的に拡張することにより得られたシーケンス、ＺＣシーケンスを短縮することにより得られたシーケンス、又はロングタームエボリューションＬＴＥシステムにおいける参照信号により使用されるシーケンスに対応するシーケンス、である。
【００４３】
第３の態様又は第３の態様の可能な実装のうちのいずれか１つを参照して、第１１の可能な実装では、前記送信信号は、第１信号及び第２信号を含み、前記Ｍ個の偶数番号のサブキャリアに対応する信号は前記第１信号であり、前記Ｍ個の奇数番号のサブキャリアに対応する信号は前記第２信号であり、
前記送信信号の中で、前記第１信号は第１電力調整値に対応し、前記第２信号は第２電力調整値に対応する。
【００４４】
第３の態様又は第３の態様の可能な実装のうちのいずれか１つを参照して、第１２の可能な実装では、前記２Ｍ個のサブキャリアは、帯域幅全体の全部のサブキャリアであって良く、又は帯域幅全体の幾つかのサブキャリアであって良い。
【００４５】
第４の態様によると、本発明の一実施形態は、信号受信装置であって、受信モジュールと処理モジュールとを含み、
前記受信モジュールは、２Ｍ個のサブキャリアから信号を受信するよう構成され、前記２Ｍ個のサブキャリアは、同じ時間ドメインシンボル上のサブキャリアであり、
前記処理モジュールは、受信された第１シーケンス及び第２シーケンスを得るために、前記受信モジュールにより受信された前記信号に対して高速フーリエ変換ＦＦＴを実行するよう構成され、前記第１シーケンスは前記２Ｍ個のサブキャリアの中のＭ個の偶数番号のサブキャリアで伝達され、前記第２シーケンスは前記２Ｍ個のサブキャリアの中のＭ個の奇数番号のサブキャリアで伝達され、前記第１シーケンスは前記第３シーケンス及び前記第４シーケンスのうちの一方であり、前記第２シーケンスは前記第３シーケンス及び前記第４シーケンスのうちの他方であり、前記第４シーケンスはＭ個の第１情報要素を伝達するシーケンスであり、
前記処理モジュールは、前記Ｍ個の第１情報要素を得るために、前記第４シーケンスを伝達するＭ個のサブキャリア上の受信信号に対して信号処理を実行するよう更に構成され、同じ瞬間における前記第３シーケンスに対応する第１時間ドメインシーケンス及び前記第４シーケンスに対応する第２時間ドメインシーケンスの要素について、複合要素が取り出されるとき、前記第１時間ドメインシーケンス及び前記第２時間ドメインシーケンスのうちの一方は同相成分であり、他方は直交成分である、装置を提供する。
【００４６】
第４の態様の第１の可能な実装では、前記第１シーケンスは前記第３シーケンスであり、前記第２シーケンスは前記第４シーケンスであり、
前記処理モジュールは、以下の方法：
前記受信した第２時間ドメインシーケンスを得るために、前記Ｍ個の奇数番号のサブキャリアで伝達される前記受信した第２時間シーケンスに対して第２結合変換を実行するステップであって、前記第２結合変換は、逆離散型フーリエ変換ＩＤＦＴと第２位相回転との結合変換である、ステップと、
前記Ｍ個の第１情報要素を得るために、前記受信した第２時間ドメインシーケンスを復調するステップと、
で、前記Ｍ個の第１情報要素を得るために、前記第４シーケンスを伝達するＭ個のサブキャリア上の受信信号に対して信号処理を実行するよう構成される。
【００４７】
第４の態様の第１の可能な実装を参照して、第２の可能な実装では、前記第１時間ドメインシーケンスは、前記第１シーケンスに対してＩＤＦＴを実行することにより得られたシーケンスであり、
前記第１時間ドメインシーケンスの前記Ｍ個の要素に対応する第２位相回転は、それぞれｅｊ×２ｔπ／２Ｍ、ｔ＝０，１，．．．，Ｍ−１である。
【００４８】
第４の態様の第３の可能な実装では、前記第１シーケンスは前記第４シーケンスであり、前記第２シーケンスは前記第３シーケンスであり、前記第１時間ドメインシーケンスは前記第３シーケンスに対して第２結合変換を実行することにより得られるシーケンスであり、前記第２結合変換はＭ×Ｍ  ＩＤＦＴと第２位相回転との結合変換であり、前記第１時間ドメインシーケンスの前記Ｍ個の要素に対応する第２位相回転は、それぞれｅｊ×２ｔπ／２Ｍ、ｔ＝０，１，．．．，Ｍ−１であり、
前記処理モジュールは、以下の方法：
前記受信した第２時間ドメインシーケンスを得るために、前記Ｍ個の偶数番号のサブキャリアで伝達される前記受信した第１シーケンスに対してＭ×Ｍ  ＩＤＦＴを実行するステップと、
前記Ｍ個の第１情報要素を得るために、前記受信した第２時間ドメインシーケンスを復調するステップと、
で、前記Ｍ個の第１情報要素を得るために、前記第４シーケンスを伝達する前記Ｍ個のサブキャリア上の前記受信信号に対して前記信号処理を実行する。
【００４９】
第４の態様の第３の可能な実装を参照して、第４の可能な実装では、受信された前記第１シーケンス及び前記第２シーケンスを得るために、前記信号に対して前記ＦＦＴを実行した後に、前記処理モジュールは、
前記受信した第１時間ドメイン信号を得るために、前記受信した第２シーケンスに対して前記第２結合変換を実行し、前記第２結合変換は、前記Ｍ×Ｍ  ＩＤＦＴと前記第２位相回転との前記結合変換であり、前記Ｍ個の要素に対応する前記第２位相回転は、それぞれｅｊ×２ｔπ／２Ｍ、ｔ＝０，１，．．．，Ｍ−１であり、
前記受信した第１時間ドメインシーケンスにより伝達されるＭ個の第２情報要素を得るために、前記受信した第１時間ドメインシーケンスを復調する、よう更に構成される。
【００５０】
第４の態様の第５の可能な実装では、前記受信装置が、Ｍ個の第１情報要素を得るために、前記第４シーケンスを伝達するＭ個のサブキャリア上の受信信号に対して信号処理を実行することは、
前記受信装置により、長さが２Ｍになるよう０を挿入することにより受信した第４シーケンスを拡張し、
拡張した受信した第４シーケンスに対して２Ｍ×２Ｍ  ＩＤＦＴを実行し、受信した第２時間ドメインシーケンスは、ＩＤＦＴの後に得られたシーケンスの最初のＭ個の要素、又はＩＤＦＴの後に得られたシーケンスの最後のＭ個の要素の反数であり、
Ｍ個の第１情報要素を得るために、受信した第２時間ドメインシーケンスを復調する、ことを含む。
【００５１】
第４の態様の第５の可能な実装を参照して、第６の可能な実装では、受信された第１シーケンス及び第２シーケンスを得るために、前記信号に対して高速フーリエ変換ＦＦＴを実行した後に、前記処理モジュールは、
長さが２Ｍになるように０を挿入することにより前記受信した第３シーケンスを拡張し、
前記拡張した受信した第３シーケンスに対して２Ｍ×２Ｍ  ＩＤＦＴを実行し、前記受信した第１時間ドメインシーケンスは、前記ＩＤＦＴの後に得られたシーケンスの最初のＭ個の要素、又は前記ＩＤＦＴの後に得られたシーケンスの最後のＭ個の要素であり、
前記受信した第３シーケンスにより伝達されるＭ個の第２情報要素を得るために、前記受信した第１時間ドメインシーケンスを復調する、よう更に構成される。
【００５２】
第４の態様又は第４の態様の可能な実装のいずれか１つを参照して、第７の可能な実装では、前記受信装置が、受信された第１シーケンス及び第２シーケンスを得るために、前記信号に対して高速フーリエ変換ＦＦＴを実行した後に、前記装置は、
前記受信装置が、前記受信した第３シーケンスに従い前記チャネル推定を実行することを更に含む。
【００５３】
第４の態様の第７の可能な実装を参照して、第８の可能な実装では、前記第３シーケンスは前記装置により予め決定されたシーケンスである。
【００５４】
第４の態様の第８の可能な実装を参照して、第９の可能な実装では、前記予め決定されたシーケンスは、Ｚａｄｏｆｆ−ＣｈｕＺＣシーケンス、ＺＣシーケンスを循環的に拡張することにより得られたシーケンス、ＺＣシーケンスを短縮することにより得られたシーケンス、又はロングタームエボリューションＬＴＥシステムにおける参照信号により使用されるシーケンスに対応するシーケンス、である。
【００５５】
第４の態様又は第４の態様の可能な実装のうちのいずれか１つを参照して、第１０の可能な実装では、前記Ｍ個の第１情報要素は、制御チャネルにより伝達される情報要素である、又は、
前記Ｍ個の第１情報要素は、データチャネルにより伝達される情報要素である、又は、
前記Ｍ個の第１情報要素は、ブロードキャストチャネルにより伝達されるシステム情報要素である。
【００５６】
第４の態様又は第４の態様の可能な実装のうちのいずれか１つを参照して、第１１の可能な実装では、前記２Ｍ個のサブキャリアは、帯域幅全体の全部のサブキャリアであって良く、又は帯域幅全体の幾つかのサブキャリアであって良い。
【００５７】
前述の実施形態によると、同じ時間ドメインシンボルで送信される２つの信号に対応する時間ドメインシーケンスは、同相成分及び直交成分送信の特性を満たす。つまり、同じ時間ドメインシンボルで送信される２つの信号に対応する時間ドメインシーケンスの要素は、Ｉ／Ｑ直交する。したがって、２つの信号が同じ時間ドメインシンボル（例えば、１つのシンボル）で同時に送信されるとき、２つの信号が重畳された後に得られる信号の振幅値は、低ピーク対平均比を保つことができるので、２つの信号が同相になり又は位相外れになる要因が回避できる。したがって、２つの信号が重畳された後に得られる信号は、位相ランダム性により引き起こされる高ピーク対平均比を有する可能性が低く、ピーク対平均比は僅かに増大される。さらに、２つの信号は、それぞれ２Ｍ個のサブキャリアの中のＭ個の偶数番号のサブキャリア及びＭ個の奇数番号のサブキャリアで送信され、２つの信号は、周波数分割及び直交特性を満たし、一方の信号は他方の信号のサブキャリア上に存在せず、２つの信号は容易に区別可能である。したがって、受信中に２つの信号の間には僅かな干渉しか又は全く干渉が存在しない。
【図面の簡単な説明】
【００５８】
【図１】本発明の一実施形態による周波数ドメインリソース分割の概略図である。
【図２】本発明の一実施形態において使用されるフレーム構造の概略図である。
【図３】本発明の一実施形態による信号送信方法の概略フローチャートである。
【図４】本発明の一実施形態による周波数分割多重方法における、ブロードキャストチャネルにより伝達される送信情報及びダウンリンクデータチャネルにより伝達されるデータの概略図である。
【図５】本発明の一実施形態による２次同期信号の周波数分割多重の概略図である。
【図６Ａ】本発明の一実施形態による第１の例の概略図である。
【図６Ｂ】本発明の一実施形態による第１の例の概略図である。
【図７Ａ】本発明の一実施形態による第２の例の概略図である。
【図７Ｂ】本発明の一実施形態による第２の例の概略図である。
【図８Ａ】本発明の一実施形態による第３の例の概略図である。
【図８Ｂ】本発明の一実施形態による第３の例の概略図である。
【図８Ｃ】本発明の一実施形態による第３の例の概略図である。
【図８Ｄ】本発明の一実施形態による第３の例の概略図である。
【図９】本発明の一実施形態による信号受信方法の概略フローチャートである。
【図１０】本発明の一実施形態による信号送信装置の概略構造図である。
【図１１】本発明の一実施形態による信号受信装置の概略構造図である。
【発明を実施するための形態】
【００５９】
従来技術では、端末装置のアップリンク制御チャネル及びアップリンク参照信号は、通常、時分割方法で送信される。端末装置がアップリンク制御情報及びアップリンク参照信号を同じ時間ドメインシンボル（例えば、ＳＣ−ＦＤＭＡ時間ドメインシンボル）で同時に送信するために、適用可能ソリューションは次の通りである。時間ドメインシンボル上の少なくとも１つの被送信物理リソースブロックは、互いに重なり合わない２つのキャリアグループに分割され、２つのキャリアグループは、それぞれ、アップリンク制御情報及びアップリンク参照信号を送信するために使用される。つまり、少なくとも１つの被送信物理リソースブロックは、２つのコームに周波数分割される。図１に示すように、コーム１（comb１）はアップリンク制御情報を送信するために使用され、コーム２（comb２）はアップリンク参照信号を送信するために使用される。しかしながら、前述のソリューションでは、アップリンク制御情報及びアップリンク参照信号が１つの時間ドメインシンボルで同時に送信されるとき、１つの時間ドメインシンボルの少なくとも１つの物理リソースブロックは、アップリンク制御情報及びアップリンク参照信号を同時に送信するために、２つのコームに分割される。つまり、２つの信号が送信される。各コーム上のＳＣ−ＦＤＭＡ信号は、時間ドメインにおいて比較的良好なピーク対平均比特性を有し得る。しかしながら、２つの信号が同じ時間ドメインシンボルで送信されるとき、２つの信号は、幾つかのサンプリング点でほぼ同相であり、その結果、強化送信信号を生じ、並びに、２つの信号は、幾つかの他のサンプリング点でほぼ同期外れであり、結果として、弱められた送信信号を生じる。したがって、比較的高いピーク対平均比が生み出される。
【００６０】
本発明の実施形態は、同じ時間ドメインシンボルで２つの信号を同時に送信し、及び２つの信号の重畳により引き起こされる高いピーク対平均比を低減するために、信号送信方法を提供する。以下の説明では、時間ドメインシンボルは、略してシンボルとして参照される。
【００６１】
本発明の実施形態は、アクセスネットワーク装置及び端末装置（terminal  device又はterminal  equipment）を含む通信システムに適用されて良い。留意すべきことに、本発明の実施形態では、端末装置は、端末、ユーザ機器（user  equipment）、移動局（mobile  station、ＭＳ）、モバイル端末（mobile  terminal）、等として参照されても良い。端末装置は、無線アクセスネットワーク（radio  access  network、ＲＡＮ）を用いて１又は複数のコアネットワークと通信して良い。例えば、端末装置は、無線アクセスネットワークと音声及び／又はデータを交換する、移動電話機（セルラフォンとしても参照される）、モバイル端末と備えるコンピュータ、等であって良く、又は、ポータブルなポケットサイズのハンドヘルド型の内蔵コンピュータ若しくは車載モバイル機器であって良い。アクセスネットワーク装置は、基地局、拡張基地局、スケジューリング機能を有する中継器、基地局機能を有する装置、等であって良い。基地局は、ＬＴＥシステムにおける進化型ＮｏｄｅＢ（evolved  Node  B、ｅＮＢ、又はｅ−ＮｏｄｅＢ）であって良く、又は別のシステムにおける基地局であって良い。これは、本発明の実施形態において限定されない。次の実施形態は、一例として基地局を用いて記載されるが、これは本発明の実施形態が基地局のみに限定されることを示さない。
【００６２】
信号を送信するためのリソースブロックは、時間ドメインリソース及び周波数ドメインリソースを含む。例えば、ＬＴＥシステムでは、時間ドメインリソースはＯＦＤＭ又はＳＣ−ＦＤＭＡシンボルを含んで良く、周波数ドメインはサブキャリアを含んで良い。現在のＬＴＥシステムでは、１つのリソースブロックは、時間ドメインにおいて１４個のＯＦＤＭシンボル又はＳＣ−ＦＤＭＡシンボル（本発明の実施形態では時間ドメインシンボル又は略してシンボルとして参照される）を含み、周波数ドメインにおいて１２個のサブキャリアを含む。本発明の実施形態では、時間ドメインシンボルは、ＬＴＥシステムにおけるＯＦＤＭ又はＳＣ−ＦＤＭＡシンボルであって良いが、これに限定されない。例えば、時間ドメインシンボルは、別のシステムで時間ドメインにおいてＯＦＤＭ又はＳＣ−ＦＤＭＡシンボル、又は別の形式の時間ドメインにおける単位であって良い。
【００６３】
本発明の実施形態で提供される技術的ソリューションは、同じ時間ドメインシンボルで２つの信号を同時に送信し、例えば１つの時間ドメインシンボルで２つの信号を送信して、２つの信号の重畳により引き起こされる高いピーク対平均比を低減することを意図する。
【００６４】
留意すべきことに、本発明の実施形態で言及される２つの信号は、２つの異なる信号であって良く、又は１つの信号の２つの部分であって良いが、本発明の実施形態は２つの信号のみに限定されない。さらに、本発明の実施形態で記載される時間ドメインシンボルは、例えばＯＦＤＭシンボルであって良い又は別の時間ドメインシンボルであって良い、信号を送信するためのリソースの時間ドメインユニットである。本発明の実施形態で記載される同じ時間ドメインシンボルは、１つのシンボルであって良く、又は複数の時間ドメインシンボルであって良い。同じ時間ドメインシンボルで２つの信号を同時に送信することは、次の通りであって良い。時間ドメインシンボルが１つのシンボルである場合、２つの信号は、該シンボルで同時に送信される。あるいは、時間ドメインシンボルが少なくとも２つのシンボルである場合、２つの信号は、該少なくとも２つのシンボルの各々で同時に送信される。
【００６５】
さらに、本発明の実施形態では、送信装置は信号を送信するよう構成され、受信装置は送信装置により送信された信号を受信するよう構成される。送信装置は、端末装置であって良く、又はアクセスネットワーク装置であって良い。送信装置が端末装置である場合、相応して、受信装置はアクセスネットワーク装置であって良い。この場合、信号はアップリンク信号である。送信装置がアクセスネットワーク装置である場合、相応して、受信装置は端末装置であって良い。この場合、信号はダウンリンク信号である。
【００６６】
留意すべきことに、本発明の実施形態における方法はアップリンク制御情報及びアップリンク参照信号を同時に送信する課題に基づき提案されるが、本発明の実施形態における２つの信号はアップリンク制御情報及びアップリンク参照信号に限定されない。例えば、信号がアップリンク信号である場合、２つの信号は、それぞれアップリンク参照信号及びアップリンク制御情報であって良く、又はそれぞれアップリンク参照信号及びアップリンクデータチャネルにより伝達されるデータであって良く、又は２つの異なるアップリンク参照信号であって良い。信号がダウンリンク信号である場合、２つの信号は、ダウンリンク参照信号及びダウンリンク制御情報であって良く、又は物理ブロードキャストチャネル情報及び１次同期チャネル情報であって良く、又は物理ブロードキャストチャネル情報及び２次同期チャネル情報であって良く、１次同期チャネル情報及び２次同期チャネル情報であって良く、又は１次同期チャネル情報の２つの部分であって良く、又は２次同期チャネル情報の２つの部分であって良く、又は異なる端末装置の２つのデータチャネルにより伝達されるデータ及び異なる端末装置の２つの制御チャネルにより伝達される制御情報であって良く、又は異なる端末装置のデータチャネルにより伝達されるデータ及び異なる端末装置の制御チャネルにより伝達される制御情報であって良く、本発明の実施形態において１つずつ列挙されない。
【００６７】
本発明の実施形態における方法は、既存フレーム構造システムに適用されて良く、又は高周波数送信システムにおけるフレーム構造のような別のフレーム構造システムに適用されて良い。例えば、方法は、「Ｕ」がアップリンクフレームを示し、「Ｄ」がダウンリンクフレームを示し、及び「ＧＰ」が保護期間（Guard  Period）を示す、図２に示されるフレーム構造システムに適用されて良い。ＴＤＤシステムでは、高周波数送信の低遅延要件を保証するために、図２に示される特定サブフレームのフレーム構造が設計され、アップリンク制御情報を送信するために使用される時間ドメインシンボル及びダウンリンク制御情報を送信するために使用される時間ドメインシンボルの両方が、特定サブフレームの中で予約されている。図２では、特定サブフレームの最後のシンボルは、ダウンリンクデータチャネルで送信される肯定応答／否定応答（Acknowledge／Non−Acknowledge、ＡＣＫ／ＮＡＣＫ）情報のようなアップリンク制御情報を送信するための予約アップリンクシンボルとして使用される。
【００６８】
特定の実施形態を参照して、以下は、本発明の実施形態において同じ時間ドメインシンボルでの少なくとも２つの信号の送信又は受信をどのように実施するかを記載する。
【００６９】
図３は、本発明の一実施形態による信号送信方法の概略フローチャートである。方法は以下のステップを有する。
【００７０】
ステップ３０１：送信装置は、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングし、第１シーケンスは第３シーケンス及び第４シーケンスのうちの一方であり、第２シーケンスは第３シーケンス及び第４シーケンスのうちの他方であり、２Ｍ個のサブキャリアは同じ時間ドメインシンボル上のサブキャリアであり、第４シーケンスはＭ個の第１情報要素を伝達するシーケンスであり、同じ瞬間における第４シーケンスに対応する第２時間ドメインシーケンス及び第３シーケンスに対応する第１時間ドメインシーケンスの要素について、複合要素が取り出されるとき、第１時間ドメインシーケンス及び第２時間ドメインシーケンスの一方は同相成分（In−phase  component、Ｉ成分）であり、他方は直交成分（Quadrature  component、Ｑ成分）であり、又は、複素数として表現される場合、一方は実数部分であり他方は虚数部分である。以下の記載に当てはまり、詳細は本願明細書に繰り返し記載されない。
【００７１】
ステップ３０２：送信装置は、送信信号を生成するために、２Ｍ個のサブキャリアにマッピングされたシーケンスを時間ドメインに変換する。
【００７２】
ステップ３０３：送信装置は、送信信号を送信する。
【００７３】
任意で、ステップ３０１の前に、方法は、以下のステップを更に含む。
【００７４】
ステップ３００：送信装置は、第２時間ドメインシーケンス及び第３シーケンスを生成する。
【００７５】
送信装置は、第３シーケンスを直接生成して良く、又は先ず第１時間ドメインシーケンスを生成し、そして次に第３シーケンスを生成して良い。
【００７６】
例えば、第３シーケンスが参照信号シーケンスである場合、送信装置は、第１時間ドメインシーケンスを生成する必要がない。しかしながら、第３シーケンスに対応する時間ドメインシーケンス、つまり第１時間ドメインシーケンスの観点から、前述のＩ／Ｑ直交特性が満たされ、つまり、同じ瞬間における第２時間ドメインシーケンス及び第１時間ドメインシーケンスの要素について、複合要素が取り出されるとき、第１時間ドメインシーケンス及び第２時間ドメインシーケンスの要素のうちの一方は同相成分であり、他方は直交成分である。
【００７７】
第３シーケンスに対応する時間ドメインシーケンスは、第３シーケンスに対して逆離散型フーリエ変換（inverse  discrete  Fouier  transform、ＩＤＦＴ）を実行することにより得られて良い。
【００７８】
本実施形態では、同じ瞬間における第２時間ドメインシーケンス及び第１時間ドメインシーケンスの要素について、複合要素が取り出されるとき（つまり、共通複合要素が取り除かれる）、第１時間ドメインシーケンス及び第２時間ドメインシーケンスの一方は同相成分であり、他方は直交成分である。つまり、２つの信号に対応する時間ドメインシーケンスは、Ｉ／Ｑ直交特性を満たす。
【００７９】
第１時間ドメインシーケンス及び第２時間ドメインシーケンスは、別個に構成されて良い。代替で、第２時間ドメインシーケンスは第３シーケンスに基づき構成されて良く、又は、第２時間ドメインシーケンス及び第３シーケンスは同じ規則に基づき構成されて良く、例えば、両者は同じＺａｄｏｆｆ−Ｃｈｕ（Zadoff−Chu、ＺＣ）系列に基づき構成される。本発明の本実施形態では、第２時間ドメインシーケンス及び第３シーケンスをどのように構成するかは限定されない。望ましくは、Ｍ個の第１情報要素を伝達するために使用されるシーケンス、及び第３シーケンスは、ほぼ一定の係数特性を有するシーケンス、又は低いピーク対平均比（若しくは低い三次元計量）を有するシーケンスである。例えば、異なる瞬間に複合要素により形成されるシーケンスｚ（ｔ）は、低いピーク対平均比（又は小さい三次元計量）を有するシーケンスであり、ｔ＝０，１，．．．，Ｍ−１である。例えば、ＬＴＥシステムでは、参照信号により使用されるシーケンスに対応する時間ドメインシーケンスでは、ｚ（ｔ）が取り出されるとき、第１時間ドメイン信号及び第２時間ドメイン信号のうちの一方は実数であり、他方は虚数である。
【００８０】
任意で、第３シーケンスが参照信号に対応する場合、第４シーケンスは第３シーケンスに基づき構成されて良く、第４シーケンスはＭ個の第１情報要素を伝達する。例えば、Ｍ個の第１情報要素を変調するために使用されるシーケンスは、第３シーケンスに基づき構成されて良い。任意で、第２時間ドメインシーケンスは、第３シーケンスにより伝達されるＭ個の第１情報要素に基づき得られる。例えば、第３シーケンスがａ（０），ａ（１），．．．，ａ（Ｍ−１）であり、且つ第３シーケンスに対応する時間ドメインシーケンスがｘ（０），ｘ（１），．．．，ｘ（Ｍ−１）である場合、第３シーケンスにより伝達されるＭ個の第１情報要素に基づき得られる第２時間ドメインシーケンスは、ｘ（０）×（＋ｊ又は−ｊ）×Ｑ，ｘ（１）×（＋ｊ又は−ｊ）×Ｑ，．．．，ｘ（Ｍ−１）×（＋ｊ又は−ｊ）×Ｑであり、ここでＱは正実数である。第２時間ドメインシーケンスのｔ番目の要素で伝達される被送信情報は、＋ｊ又は−ｊである。第１シーケンスが第３シーケンスである、つまり第３シーケンスが偶数番号のサブキャリアにマッピングされるとき、第３シーケンスａ（０），ａ（１），．．．，ａ（Ｍ−１）から第３シーケンスに対応する時間ドメインシーケンスｘ（０），ｘ（１），．．．，ｘ（Ｍ−１）への変換は、ＩＤＦＴであって良い。さらに、Ｍ個のサブキャリアにマッピングされる前に、第３シーケンスは、Ｖ＊（ａ（０），ａ（１），．．．，ａ（Ｍ−１））になるよう電力調整されて良く、ここでＶは電力調整量であり正実数である。Ｍ個のサブキャリアにマッピングされる前に、第４シーケンスｃ（０），ｃ（１），．．．，ｃ（Ｍ−１）は、電力調整され、つまり、Ｕ＊（ｃ（０），ｃ（１），．．．，ｃ（Ｍ−１））になるよう正実数定数により乗算されて良く、ここでＵは電力調整量である。
【００８１】
代替で、Ｍ個の第１情報要素を伝達するために使用されるシーケンスは、第３シーケンスのものと同じである所定規則を用いて得られるシーケンスであって良い。
【００８２】
もちろん、Ｍ個の第１情報要素を伝達するために使用されるシーケンスは、第３シーケンスに対応する時間ドメインシーケンスと独立であって良い。つまり、Ｍ個の第１情報要素を伝達するために使用されるシーケンスは、第３シーケンスに対応する時間ドメインシーケンスに基づき構成される代わりに、予め決定された規則を用いて得られるシーケンスであって良い。
【００８３】
Ｍ個の情報要素は、元の情報要素に対して、符号化、レートマッチング、又は反復が実行された後に得られるＭ個の情報要素であって良い。
【００８４】
本実施形態では、第３シーケンスは、ａ（ｋ）として表されて良く、ここでｋ＝０，１，．．．，Ｍ−１である。第３シーケンスに対応する時間ドメインシーケンス、つまり第１時間ドメインシーケンスは、ｘ（ｔ）＝ｚ（ｔ）×ｇ（ｔ）として表される。第２時間ドメインシーケンスは、ｙ（ｔ）＝ｚ（ｔ）×Ｑｔ×ｈ（ｔ）として表されて良く、ここでｔ＝０，１，．．．，Ｍ−１であり、ｚ（ｔ）は低ピーク対平均電力比（peak−to−average  power  ratio、ＰＡＰＲ）を有するシーケンスのｔ番目の要素であり、Ｑｔ＝ｊ又は−ｊである。
【００８５】
一実地形態では、第１時間ドメインシーケンス及び第２時間ドメインシーケンスの中で、ｇ（ｔ）の値は＋１×Ｐ又は−１×Ｐであり、ここでＰは正振幅値（正実数）である。ｇ（ｔ）の値が＋１×Ｐ又は−１×Ｐであるかは、第３シーケンスにより伝達される被送信情報要素に依存する。この場合、ｈ（ｔ）の値は＋１×Ｑ又は−１×Ｑであり、ここでＱは正振幅値である。同様に、ｈ（ｔ）の値が＋１×Ｑ又は−１×Ｑであるかは、第４シーケンスにより伝達される被送信情報要素に依存する、つまり前述の実施形態におけるＭ個の第１情報要素に依存する。例えば、Ｍ個の第１情報要素の中のｔ番目の要素が１であるとき、ｈ（ｔ）は＋１×Ｑであり、又はＭ個の第１情報要素の中のｔ番目の要素が−１であるとき、ｈ（ｔ）は−１×Ｑである。代替で、Ｍ個の第１情報要素の中のｔ番目の要素が１であるとき、ｈ（ｔ）は−１×Ｑであり、又はＭ個の第１情報要素の中のｔ番目の要素が−１であるとき、ｈ（ｔ）は＋１×Ｑである。Ｐ＝Ｑならば、第１時間ドメインシーケンス及び第２時間ドメインシーケンスは同じ電力を有することが分かる。つまり、第１信号及び第２信号は同じ電力で送信される。しかしながら、Ｐ≠Ｑである場合、第１時間ドメインシーケンス及び第２時間ドメインシーケンスは異なる電力を有し、つまり、第１信号及び第２信号は異なる電力で送信され、送信装置は、異なるチャネルに対して異なる送信電力を構成するために、異なるチャネルに従い異なるＰ及びＱを構成して良い。例えば、参照信号チャネルの送信電力は、データ信号の送信電力と異なって良く、電力オフセット量が存在して良い。
【００８６】
別の実地形態では、第１時間ドメインシーケンス及び第２時間ドメインシーケンスの中で、ｇ（ｔ）の値は＋１×Ｐ×ｊ又は−１×Ｐ×ｊであり、ここでＰは正実数である。ｇ（ｔ）の値が＋１×Ｐ×ｊ又は−１×Ｐ×ｊであるかは、第１時間ドメインシーケンスにより伝達される被送信情報要素に依存する。この場合、ｈ（ｔ）の値は＋１×Ｑ×ｊ又は−１×Ｑ×ｊであり、ここでＱは正実数である。同様に、ｈ（ｔ）の値が＋１×Ｑ×ｊ又は−１×Ｑ×ｊであるかは、第２時間ドメインシーケンスにより伝達される被送信情報要素に依存する、つまり前述の実施形態におけるＭ個の第１情報要素に依存する。例えば、Ｍ個の第１情報要素の中のｔ番目の要素が１であるとき、ｈ（ｔ）は＋１×Ｑ×ｊであり、又はＭ個の第１情報要素の中のｔ番目の要素が−１であるとき、ｈ（ｔ）は−１×Ｑ×ｊである。代替で、Ｍ個の第１情報要素の中のｔ番目の要素が１であるとき、ｈ（ｔ）は−１×Ｑ×ｊであり、又はＭ個の第１情報要素の中のｔ番目の要素が−１であるとき、ｈ（ｔ）は＋１×Ｑ×ｊである。
【００８７】
更に別の実施形態では、第３シーケンスは、ａ（ｋ）として表されて良く、ここでｋ＝０，１，．．．，Ｍ−１である。第３シーケンスに対応する時間ドメインシーケンス、つまり第１時間ドメインシーケンスは、ｘ（ｔ）＝ｚ（ｔ）×ｇ（ｔ）として表される。第２時間ドメインシーケンスは、ｙ（ｔ）＝ｚ（ｔ）×ｇ（ｔ）×Ｑ×ｈ（ｔ）として表されて良く、ここでｔ＝０，１，．．．，Ｍ−１であり、ｚ（ｔ）は低ピーク対平均電力比（peak−to−average  power  ratio、ＰＡＰＲ）を有するシーケンスのｔ番目の要素である。任意で、ｚ（ｔ）＝１又は複素数又は係数が１である複素定数、及びＱの値は、ｔと共に変化せず、ｊ又は−ｊであって良い。ｇ（ｔ）は二相位相変調（binary  phase  shift  key、ＢＰＳＫ）、四相位相変調（quadrature  phase  shift  keying、ＱＰＳＫ）、又は任意の直交振幅変調（quadrature  amplitude  modulation、ＱＡＭ）により変調された信号である。ｈ（ｔ）の値は＋１×Ｑ又は−１×Ｑであり、ここでＱは正振幅値である。本実施形態では、Ｑｔは虚数単位を示し、ｈ（ｔ）値が＋１×Ｑ又は−１×Ｑであるかは、第２時間ドメインシーケンスにより伝達される被送信情報要素に依存する。ｇ（ｔ）はＰＱＳＫ又はＱＡＭにより変調された信号であって良いので、信号送信のために比較的高次の変調モードが使用され、各信号に対応する情報ビット量は増大される。このように、実装は、より多くの情報値の送信を実施でき、比較的低いピーク対平均比を保つことができる。
【００８８】
さらに、同じ時間ドメインシンボルで送信される２つの信号は、比較的低いピーク対平均比を保ち、したがって、２つの信号は、２Ｍ個のサブキャリアを占有する１つの等価な送信信号として使用され得る（２Ｍ個のサブキャリア上の信号は、２Ｍ＊２Ｍ  ＩＤＦＴにより時間ドメインにおいて１つの信号に変換され、良好なピーク対平均比特性を有する）。等価な送信信号、及び２Ｍ個のサブキャリアを占有する別の送信信号は、コーム周波数分割及び直交方式で送信される。任意で、別の送信信号は、ＢＰＳＫに基づき変調された信号である。各信号は、２ｋＨｚの間隔で等しく間隔の空けられたサブキャリアであり、２つの信号のコーム周波数分割多重は、ｋの間隔で等しく間隔の空けられた、合計４Ｍ個のサブキャリアを占有する。同様に、この場合には、４Ｍ個のサブキャリアの中の奇数番号のサブキャリア及び偶数番号のサブキャリアに対応する２つの信号に対応する時間ドメインシーケンスは、同相成分及び直交成分送信のＩ／Ｑ特性を依然として満たす。したがって、ピーク対平均比特性は良好である。ｋが正偶数である場合、コーム周波数分割多重は、４Ｍ個のサブキャリア上の信号及び他の４Ｍ個のサブキャリア上の信号に対して実行され続けて良く、ｋ＝０まで、良好なピーク対平均比特性が保たれる。
【００８９】
同じ時間ドメインシンボルで送信される２つの信号に対応する時間ドメインシーケンスは、同相成分及び直交成分送信の特性を満たす。つまり、同じ時間ドメインシンボルで送信される２つの信号に対応する時間ドメインシーケンスの要素は、Ｉ／Ｑ直交する。したがって、２つの信号が同じ時間ドメインシンボル（例えば、１つのシンボル）で同時に送信されるとき、２つの信号が重畳された後に得られる信号の振幅値は、低ピーク対平均比を保つことができる。したがって、２つの信号が重畳された後に得られる信号は、位相ランダム性により引き起こされる高ピーク対平均比を有する可能性が低く、ピーク対平均比は僅かに増大される。さらに、２つの信号は、周波数分割及び直交特性を満たし、一方の信号は他方の信号のサブキャリア上に存在せず、２つの信号は容易に区別可能である。したがって、受信中に２つの信号の間には僅かな干渉しか又は全く干渉が存在しない。
【００９０】
任意で、２Ｍ個のサブキャリアは、周波数ドメインにおいて２Ｍ個の等間隔のサブキャリアであって良く、その結果、良好なピーク対平均比又は三次元計量特性を有して良い。
【００９１】
特に留意すべきことに、本発明の本実施形態では、２Ｍ個のサブキャリアの全部が番号付けされ、第１サブキャリアが０で番号付けされる場合、２Ｍ個のサブキャリアは、それぞれ、０，１，．．．，２Ｍ−１と番号付けされる。Ｍ個の偶数番号のサブキャリアはサブキャリア０，２，４，．．．，２Ｍ−２であり、Ｍ個の奇数番号のサブキャリアはサブキャリア１，３，５，．．．，２Ｍ−１である。本発明の全ての実施形態においてＭ個の奇数番号のサブキャリア及びＭ個の偶数番号のサブキャリアの意味は、同様に理解される。以下の記載は、この意味に基づく。
【００９２】
２Ｍ個のサブキャリア全部が番号付けされ、第１サブキャリアが１と番号付けされる場合、本発明の全ての実施形態において、Ｍ個の奇数番号のサブキャリアは本例ではＭ個の偶数番号のサブキャリアであるべきであり、Ｍ個の偶数番号のサブキャリアは本例ではＭ個の奇数番号のサブキャリアであるべきである。つまり、本発明の実施形態におけるＭ個の偶数番号のサブキャリアは、本例ではサブキャリア１，３，５，．．．，２Ｍ−１であり、本発明の実施形態におけるＭ個の奇数番号のサブキャリアは、本例ではサブキャリア２，４，．．．，２Ｍである。
【００９３】
任意で、サブキャリアにマッピングされる前に、第３シーケンス及び第４シーケンスは、更に別個に電力調整されて良い。つまり、最終的に出力される結合時間ドメイン信号が良好なピーク対平均比特性を保つように、第３シーケンスの各要素は正実数定数Ｖにより乗算され、第４シーケンスの各要素は正実数定数Ｕにより乗算される。
【００９４】
本発明の本実施形態では、Ｍ個の奇数番号のサブキャリア及びＭ個の偶数番号のサブキャリアは、２つのコームとして考えられる。Ｍ個の偶数番号のサブキャリアはコーム１として考えられ、Ｍ個の奇数番号のサブキャリアはコーム２として考えられる。第３シーケンス及び第４シーケンスは、それぞれコーム１及びコーム２にマッピングされて良く、又はそれぞれコーム２及びコーム１にマッピングされて良い。異なるマッピング方法について、異なる実施形態が存在して良い。
【００９５】
第１任意実施形態
【００９６】
送信装置は、Ｍ個の偶数番号のサブキャリアに第３シーケンスをマッピングし、Ｍ個の奇数番号のサブキャリアに第４シーケンスをマッピングする。つまり、第１シーケンス及び第３シーケンスは同じシーケンスであり、Ｍ個の偶数番号のサブキャリアにマッピングされ、第２シーケンス及び第４シーケンスは同じシーケンスであり、Ｍ個の奇数番号のサブキャリアにマッピングされる。第２シーケンスに対応する第２時間ドメインシーケンス（つまり、第４シーケンス）は、Ｍ個の第１情報要素を伝達するシーケンスである。つまり、第２シーケンスは、Ｍ個の第１情報要素を伝達する。
【００９７】
このように、送信装置により、２Ｍ個のサブキャリアの中のＭ個の奇数番号のサブキャリアに第２シーケンスをマッピングする前に、実施形態は、
送信装置により、第２シーケンスを得るために第２時間ドメインシーケンスに対して第１結合変換を実行するステップであって、第１結合変換は、第１位相回転とＭ×Ｍ離散型フーリエ変換ＤＦＴとの結合変換である、ステップ、を更に含む。
【００９８】
本発明の本実施形態におけるＭ×Ｍ  ＤＦＴは、次式のように示される：
【数１】
0006462952.tif 000002
（これは、代替で別の異形の定義、例えば
【数２】
0006462952.tif 000003
であって良い）。ここで、Ｍは任意の正整数であり、｛Ｘ（ｎ）｝は変換後に得られる周波数ドメインシーケンスであり、ｎは周波数ドメインサブキャリアの番号である。本発明の本実施形態におけるＭ×Ｍ  ＩＤＦＴは、次式のように示される：
【数３】
0006462952.tif 000004
（これは、代替で別の異形の定義、例えば
【数４】
0006462952.tif 000005
であって良い）。ここで、ｘ（ｎ）は変換後に得られる時間ドメインシーケンスであり、ｎは時間ドメインシーケンスに対応する瞬間値であり、Ｘ（ｋ）は対応する周波数ドメインシーケンスであり、ｋは周波数ドメインサブキャリアの番号である。
【００９９】
ｆ（ｔ）は対応する時間ドメインシーケンスである。例えば、第１時間ドメインシーケンスでは、これを考慮してｆ（ｔ）は前述のｘ（ｔ）であり、第２時間ドメインシーケンスでは、これを考慮してｆ（ｔ）は以下のｙ（ｔ）である。Ｍ×Ｍ  ＤＦＴ変換は、２Ｍ個のサブキャリアの中の全ての偶数番号のサブキャリアへのマッピングに対応する。したがって変換後に得られる周波数ドメインシーケンスが奇数番号のサブキャリアにマッピングされる必要があるとき、偶数番号のサブキャリアのマッピング周波数から奇数番号のサブキャリアのマッピング周波数までのオフセットを実装するために、第１位相回転が第２時間ドメインシーケンスに対して実行される必要がある。留意すべきことに、第１位相回転及びＭ×Ｍ離散型フーリエ変換ＤＦＴは同時に実施されて良く、又は第１結合変換は、先ず第２時間ドメインシーケンスに対して第１位相回転を実行し、次に回転された第２時間ドメインシーケンスに対してＭ×Ｍ  ＤＦＴを実行することと等価であって良い。
【０１００】
第２時間ドメインシーケンスがｙ（０），ｙ（１），．．．，ｙ（Ｍ−１）であり、第４シーケンスがｂ（０），ｂ（１），．．．，ｂ（Ｍ−１）であるとき、第２シーケンスと第２時間ドメインシーケンスとの間の関係は、｛ｂ（ｉ）｝＝Ａ｛ｙ（ｉ）｝、ｉ＝０，１，．．．，Ｍ−１として表される。第１結合変換Ａは、第１位相回転変換Ｂと離散型フーリエ変換Ｃとの関であって良い。つまり、Ａ＝ＣＢである。
【０１０１】
さらに、第１結合変換は、Ｍ個の要素に対応する第１位相回転とＭ×Ｍ離散型フーリエ変換ＤＦＴとの結合変換であり、Ｍ個の要素に対応する第１位相回転は、それぞれｅ−ｊ×２ｔπ／２Ｍであり、ここでｔ＝０，１，．．．，Ｍ−１である。
【０１０２】
例えば、先ず第１位相回転が第２時間ドメインシーケンスに対して実行され、次にＭ×Ｍ  ＤＦＴが回転された第２時間ドメインシーケンスに対して実行される場合、送信装置により、第２シーケンスを得るために、第２時間ドメインシーケンスに対して結合変換を実行するステップは、
送信装置により、第２時間ドメインシーケンスのＭ個の要素に対して対応する第１位相回転をそれぞれ実行し、第２シーケンスを得るために、回転された第２時間ドメインシーケンスに対してＭ×Ｍ  ＤＦＴを実行するステップを含む。
【０１０３】
Ｍ個の要素に対応する第２位相回転は、それぞれｅ−ｊ×２ｔπ／２Ｍであり、ここでｔ＝０，１，．．．，Ｍ−１である。
【０１０４】
具体的に、第２時間ドメインシーケンスは、ｙ（ｔ）と表され、ここでｔ＝０，１，．．．，Ｍ−１であり、回転された第２時間ドメインシーケンスはｙ（ｔ）ｅ−ｊ×２ｔπ／２Ｍである。
【０１０５】
本実装では、第３シーケンスがＭ個の第２情報要素を伝達する場合、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップの前に、方法は、
送信装置により、第１時間ドメインシーケンス及び第２時間ドメインシーケンスを取得するステップと、
送信装置により、第３シーケンスを得るために、第１時間ドメインシーケンスに対してＭ×Ｍ  ＤＦＴを実行するステップと、を更に含む。
【０１０６】
第３シーケンスが参照信号シーケンスであり、情報要素を伝達しない場合、送信装置は、２Ｍ個のサブキャリアの中のＭ個の偶数番号のサブキャリアに第３シーケンスをマッピングするだけで良い。
【０１０７】
第２任意実施形態
【０１０８】
送信装置は、Ｍ個の偶数番号のサブキャリアに第４シーケンスをマッピングし、Ｍ個の奇数番号のサブキャリアに第３シーケンスをマッピングする。つまり、第１シーケンス及び第４シーケンスは同じシーケンスであり、Ｍ個の偶数番号のサブキャリアにマッピングされ、第２シーケンス及び第３シーケンスは同じシーケンスであり、Ｍ個の奇数番号のサブキャリアにマッピングされる。
【０１０９】
このように、２Ｍ個のサブキャリアの中のＭ個の奇数番号のサブキャリアに第２シーケンスをマッピングするステップは、送信装置により、Ｍ個の奇数番号のサブキャリアに第３シーケンスをマッピングするステップを含み、
２Ｍ個のサブキャリアの中のＭ個の偶数番号のサブキャリアに第１シーケンスをマッピングするステップは、送信装置により、第４シーケンスを得るために、第２時間ドメインシーケンスに対してＭ×Ｍ  ＤＦＴを実行し、Ｍ個の偶数番号のサブキャリアに第４シーケンスをマッピングするステップを含む。
【０１１０】
この場合、送信装置は、第１時間ドメインシーケンスを生成しない。しかし、時間ドメインの観点から、第３シーケンスについて、第３シーケンスに対応する第１時間ドメインシーケンスは、第２シーケンス（つまり、第３シーケンス）に対して第２結合変換を実行することにより得られたシーケンスである。第２結合変換は、Ｍ×Ｍ逆離散型フーリエ変換（inverse  discrete  Fouriertransform、ＩＤＦＴ）と第２位相回転との結合変換である。第１時間ドメインシーケンスのＭ個の要素に対応する第２位相回転は、それぞれｅｊ×２ｔπ／２Ｍであり、ここでｔ＝０，１，．．．，Ｍ−１である。第２結合変換は、第１結合変換の逆変換である。
【０１１１】
具体的に、第１時間ドメインシーケンスはｘ（ｔ）と表され、第２時間ドメインシーケンスはｙ（ｔ）と表され、ここでｔ＝０，１，．．．，Ｍ−１である。このように、第３シーケンスａ（ｋ）に対してＩＤＦＴ変換を実行することにより得られたシーケンスは、ｘ（ｔ）ｅ−ｊ×２ｔπ／２Ｍであり、ｘ（ｔ）を得るために、ｘ（ｔ）ｅ−ｊ×２ｔπ／２Ｍに対して第２位相回転が実行される。
【０１１２】
本実装では、第３シーケンスがＭ個の第２情報要素を伝達する場合、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップの前に、方法は、
送信装置により、第１時間ドメインシーケンス及び第２時間ドメインシーケンスを取得するステップと、
送信装置により、第１時間ドメインシーケンスに対して第１位相回転を実行し、第３シーケンスを得るために、回転された第１時間ドメインシーケンスに対してＤＦＴを実行し、するステップと、第４シーケンスを得るために、第２時間ドメインシーケンスに対してＤＦＴを実行するステップと、を更に含む。
【０１１３】
第１時間ドメインシーケンスのＭ個の要素に対応する第１位相回転は、それぞれｅ−ｊ×２ｔπ／２Ｍであり、ここでｔ＝０，１，．．．，Ｍ−１である。
【０１１４】
第１任意実施形態及び第２任意実施形態では、時間ドメイン信号と周波数ドメイン信号との間の対応がＭ×Ｍ  ＤＦＴ変換であるか又は第１線形位相回転とＭ×Ｍ  ＤＦＴ変換との結合変換であるかは、シーケンスのマッピングされるサブキャリアが偶数番号のサブキャリア又は奇数番号のサブキャリアであるかに従い決定される。したがって、第１時間ドメインシーケンス及び第２時間ドメインシーケンスのＩ／Ｑ直交特性は保証され得る。このように、第１時間ドメイン信号及び第２時間ドメイン信号により共にもたらされるピーク対平均比（又は三次元計量）は、最終的に送信される実際の信号のピーク対平均比（又は三次元計量）を反映する。
【０１１５】
第３任意実施形態
【０１１６】
送信装置により、２Ｍ個のサブキャリアの中のＭ個の奇数番号のサブキャリアに第４シーケンスをマッピングするステップの前に、方法は、
送信装置により、第２時間ドメインシーケンスの拡張シーケンスに対して２Ｍ×２Ｍ  ＤＦＴを実行するステップ、を更に含む。
【０１１７】
本実装では、第２シーケンスは第４シーケンスであり、第２時間ドメインシーケンスの長さはＭであり、第２シーケンスは、第２時間ドメインシーケンスの拡張シーケンスに対して２Ｍ×２Ｍ  ＤＦＴを実行することにより得られたシーケンスのＭ個の奇数番号の要素であり、第２時間ドメインシーケンスの拡張シーケンスの長さは２Ｍであり、第２時間ドメインシーケンスの拡張シーケンス最後のＭ個の要素はそれぞれ第２時間ドメインシーケンスのＭ個の要素の反数である。したがって、第２時間ドメインシーケンスの拡張シーケンスは、反対称シーケンスである。ＤＦＴの特性によると、反対称的な拡張シーケンスに対してＤＦＴを実行することにより得られたシーケンスの値は、偶数番号のサブキャリア上の０であることが分かる。したがって、２Ｍ×２Ｍ  ＤＦＴの後に、第２時間ドメインシーケンスは、Ｍ個の奇数番号のサブキャリアにマッピングされる。この場合、第３シーケンスはＭ個の偶数番号のサブキャリアにマッピングされ、第４シーケンスはＭ個の奇数番号のサブキャリアにマッピングされ得る。
【０１１８】
この場合、時間ドメインの観点から、第３シーケンスについて、第１時間ドメインシーケンスの長さはＭであり、第３シーケンスは、第１時間ドメインシーケンスの拡張シーケンスに対して２Ｍ×２Ｍ  ＤＴＦを実行することにより得られたシーケンスのＭ個の偶数番号の要素であり、第１時間ドメインシーケンスの拡張シーケンスの長さは２Ｍであり、第１時間ドメインシーケンスの拡張シーケンスの最後のＭ個の要素は第１時間ドメインシーケンスのＭ個の要素と同じである。したがって、第１時間ドメインシーケンスの拡張シーケンスは、対称シーケンスである。ＤＦＴの特性によると、対称的な拡張シーケンスに対してＤＦＴを実行することにより得られたシーケンスの値は、奇数番号のサブキャリア上の０であることが分かる。第１時間ドメインシーケンスは、周波数ドメインにおいて奇数番号の対応する要素において第３シーケンスに０を挿入することにより得られた長さ２Ｍを有するシーケンスに対して２Ｍ×２Ｍ  ＤＦＴを実行することにより得られた長さ２Ｍを有する時間ドメインシーケンスの最初のＭ個の要素である。０を挿入する操作は、ａ１，ａ２，ａ３，．．．−＞ａ１，０，ａ２，０，ａ３，０，．．．として表される。
【０１１９】
さらに、第３シーケンスがＭ個の第２情報要素を伝達する、又は送信装置が第３シーケンスの代わりに第１時間ドメインシーケンスを直接生成する場合、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップの前に、方法は、
送信装置により、第１時間ドメインシーケンス及び第２時間ドメインシーケンスを取得するステップと、
送信装置により、第１時間ドメインシーケンス及び第２時間ドメインシーケンスの両方を２Ｍの長さを有するシーケンスに拡張するステップであって、第１時間ドメインシーケンスの拡張方法はｘ（ｋ＋Ｍ）＝ｘ（ｋ）、ｋ＝０，１，．．．，Ｍ−１であり、第２時間ドメインシーケンスの拡張方法はｙ（ｋ＋Ｍ）＝−ｙ（ｋ）、ｋ＝０，１，．．．，Ｍ−１である、ステップと、を更に含み、
送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップは、
送信装置により、第１時間ドメインシーケンス及び第２時間ドメインシーケンスの和に対して２Ｍ×２Ｍ  ＤＦＴを実行し、ＤＦＴの後に得られたシーケンスを２Ｍ個のサブキャリアにマッピングするステップ、又は、
送信装置により、第３シーケンス（ＤＦＴの後に得られた長さ２Ｍを有するシーケンスの偶数番号の要素）を得るために、第１時間ドメインシーケンスの拡張シーケンスに対して２Ｍ×２Ｍ  ＤＦＴを実行し、Ｍ個の偶数番号のサブキャリアに第３シーケンスをマッピングし、第４シーケンス（ＤＦＴの後に得られた長さ２Ｍを有するシーケンスの奇数番号の要素）を得るために、第２時間ドメインシーケンスの拡張シーケンスに対して２Ｍ×２Ｍ  ＤＦＴを実行し、Ｍ個の奇数番号のサブキャリアに第４シーケンスをマッピングするステップ、
を含む。
【０１２０】
任意で、第３シーケンスが情報要素を伝達せず、参照信号シーケンスだけである場合、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップの前に、方法は、
送信装置により、第２時間ドメインシーケンスを取得するステップと、
送信装置により、第２時間ドメインシーケンスを長さ２Ｍを有するシーケンスに拡張するステップであって、第２時間ドメインシーケンスの拡張方法は、ｙ（ｋ＋Ｍ）＝−ｙ（ｋ）、ｋ＝０，１，．．．，Ｍ−１である、ステップと、を更に含む。
【０１２１】
さらに、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップは、
送信装置により、Ｍ個の偶数番号のサブキャリアに第３シーケンスをマッピングし、第４シーケンス（ＤＦＴの後に得られた長さ２Ｍを有するシーケンスの奇数番号の要素）を得るために、第２時間ドメインシーケンスの拡張シーケンスに対して２Ｍ×２Ｍ  ＤＦＴを実行し、Ｍ個の奇数番号のサブキャリアに第４シーケンスをマッピングするステップ、を含む。
【０１２２】
第４任意実施形態
【０１２３】
第３任意実施形態からの差分は、本実施形態では、第２時間ドメインシーケンスの拡張シーケンスの中で、最後のＭ個の要素がそれぞれ最初のＭ個の要素と同じであることである。したがって、時間ドメインの観点からは、第３シーケンスに対応する時間ドメインシーケンス、つまり第１時間ドメインシーケンスでは、第１時間ドメインシーケンスの拡張シーケンスの中で、最後のＭ個の要素はそれぞれ最初のＭ個の要素の反数である。
【０１２４】
送信装置により、２Ｍ個のサブキャリアの中のＭ個の偶数番号のサブキャリアに第４シーケンスをマッピングするステップの前に、方法は、
送信装置により、第２時間ドメインシーケンスの拡張シーケンスに対して２Ｍ×２Ｍ  ＤＦＴを実行するステップ、を更に含む。
【０１２５】
本実装では、第１シーケンスは第４シーケンスであり、第２シーケンスは第３シーケンスである。第２時間ドメインシーケンスの長さはＭであり、第４シーケンスは第２時間ドメインシーケンスの拡張シーケンスに対して２Ｍ×２Ｍ  ＤＦＴを実行することにより得られたシーケンスのＭ個の偶数番号の要素であり、第２時間ドメインシーケンスの拡張シーケンスの長さは２Ｍであり、第２時間ドメインシーケンスの拡張シーケンスの最後のＭ個の要素は第２時間ドメインシーケンスのＭ個の要素と同じである。
【０１２６】
この場合、時間ドメインの観点から、第３シーケンスについて、第１時間ドメインシーケンスの長さはＭであり、第３シーケンスは、第１時間ドメインシーケンスの拡張シーケンスに対して２Ｍ×２Ｍ  ＤＴＦを実行することにより得られたシーケンスのＭ個の奇数番号の要素であり、第１時間ドメインシーケンスの拡張シーケンスの長さは２Ｍであり、第１時間ドメインシーケンスの拡張シーケンスの最後のＭ個の要素は第１時間ドメインシーケンスの最初のＭ個の要素の反数である。
【０１２７】
さらに、第３シーケンスがＭ個の第２情報要素を伝達する、又は送信装置が第３シーケンスの代わりに第１時間ドメインシーケンスを直接生成する場合、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップの前に、方法は、
送信装置により、第１時間ドメインシーケンス及び第２時間ドメインシーケンスを取得するステップと、
送信装置により、第１時間ドメインシーケンス及び第２時間ドメインシーケンスの両方を長さ２Ｍを有するシーケンスに拡張するステップであって、第１時間ドメインシーケンスの拡張方法はｘ（ｋ＋Ｍ）＝−ｘ（ｋ）、ｋ＝０，１，．．．，Ｍ−１であり、第２時間ドメインシーケンスの拡張方法はｙ（ｋ＋Ｍ）＝−ｙ（ｋ）、ｋ＝０，１，．．．，Ｍ−１である、ステップと、を更に含み、
送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップは、
送信装置により、第１時間ドメインシーケンスの拡張シーケンスと第２時間ドメインシーケンスの拡張シーケンスとの和に対して２Ｍ×２Ｍ  ＤＦＴを実行し、ＤＦＴの後に得られたシーケンスを２Ｍ個のサブキャリアにマッピングするステップ、又は、
送信装置により、第３シーケンス（つまり、ＤＦＴの後に得られたシーケンスの奇数番号の要素を抽出することにより得られたシーケンス）を得るために、第１時間ドメインシーケンスの拡張シーケンスに対して２Ｍ×２Ｍ  ＤＦＴを実行し、第４シーケンス（つまり、ＤＦＴの後に得られたシーケンスの偶数番号の要素を抽出することにより得られたシーケンス）を得るために、第２時間ドメインシーケンスの拡張シーケンスに対して２Ｍ×２Ｍ  ＤＦＴを実行し、第４シーケンスをＭ個の偶数番号のサブキャリアにマッピングするステップ、を含む。
【０１２８】
任意で、第３シーケンスが情報要素を伝達せず、参照信号シーケンスだけである場合、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップの前に、方法は、
送信装置により、第２時間ドメインシーケンスを取得するステップと、
送信装置により、第２時間ドメインシーケンスを長さ２Ｍを有するシーケンスに拡張するステップであって、第２時間ドメインシーケンスの拡張方法は、ｙ（ｋ＋Ｍ）＝−ｙ（ｋ）、ｋ＝０，１，２，３，．．．，Ｍ−１である、ステップと、を更に含む。
【０１２９】
さらに、送信装置により、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングするステップは、
送信装置により、Ｍ個の偶数番号のサブキャリアに第３シーケンスをマッピングし、第４シーケンス（ＤＦＴの後に得られたシーケンスの偶数番号の要素を抽出することにより得られたシーケンス）を得るために、第２時間ドメインシーケンスの拡張シーケンスに対して２Ｍ×２Ｍ  ＤＦＴを実行し、Ｍ個の偶数番号のサブキャリアに第４シーケンスをマッピングするステップ、を含む。
【０１３０】
第３及び第４任意実施形態では、第１時間ドメイン信号又は第２時間ドメイン信号は、対称又は反対称特性を有する。したがって、２つの対応する周波数ドメイン信号は、それぞれ、偶数番号のサブキャリア又は奇数番号のサブキャリアにのみマッピングされ、装置により送信される２つの信号は、周波数分割され及び直交する。第３信号及び第４信号に対応する第１時間ドメイン信号及び第２時間ドメイン信号について、複合要素が取り出されるとき、１つはＩ成分であり、もう１つはＱ成分であることが、送信信号により更に要求される。したがって、２つの信号により共にもたらされるピーク対平均比特性は比較的良好であり、対称的及び反対称的拡張の後に別個に得られる２つの信号により共にもたらされるピーク対平均比特性は、依然として良好に保たれる。
【０１３１】
さらに、上述のように、本発明の本実施形態における２つの信号は、複数の組合せを有して良い。これらの組合せの全部は、前述の任意実施形態に適用可能である。
【０１３２】
たと、２つの信号は、制御チャネルにより伝達される制御情報及び参照信号の組合せであって良く、参照信号及びデータチャネルにより伝達されるデータの組合せであって良く、又は参照信号及び他の被送信情報の組合せであって良い。
【０１３３】
参照信号は、アップリンク参照信号であって良く、又はダウンリンク参照信号であって良い。
【０１３４】
したがって、制御情報は、アップリンク制御チャネルにより伝達されるアップリンク制御情報、物理アップリンク制御チャネル（Physical  Uplink  Control  Channel、ＰＵＣＣＨ）により伝達されるアップリンク制御情報あって良く、又はダウンリンク制御チャネルにより伝達されるダウンリンク制御情報、特に例えば、物理ダウンリンク制御チャネル（Physical  Downlink  Control  Channel、ＰＤＣＣＨ）により伝達されるダウンリンク制御情報であって良い。
【０１３５】
データチャネルは、アップリンクデータチャネル、例えば、物理アップリンク共有チャネル（Physical  Uplink  Shared  Channel、ＰＵＳＣＨ）であって良く、又はダウンリンクデータチャネル、例えば物理ダウンリンク共有チャネル（Physical  Downlink  Shared  Channel、ＰＤＳＣＨ）であって良い。
【０１３６】
さらに、被送信情報は、ブロードキャストチャネルにより伝達されるシステム情報、例えば物理ブロードキャストチャネル（physical  broadcast  channel、ＰＢＣＨ）により伝達される情報であって良く、又は同期のために使用される同期信号、例えば１次同期信号（Primary  Synchronization  Signal、ＰＳＳ）若しくは２次同期信号（Secondary  Synchronization  Signal、ＳＳＳ）であって良い。
【０１３７】
前述の第３シーケンスは参照信号に対応し、第３シーケンスは送信装置により予め決定されたシーケンスである。例えば、第３シーケンスは、予め決定された規則に従い送信装置により得られたシーケンスである。第３シーケンスは、Ｍ個の偶数番号のサブキャリアにマッピングされて良い。この場合、第３シーケンスは第１シーケンスであり、前述の第１任意実施形態の第１実装に対応する。代替で、第３シーケンスは、Ｍ個の奇数番号のサブキャリアにマッピングされて良い。この場合、第３シーケンスは第２シーケンスであり、前述の第１任意実施形態の第２実装に対応する。前述の第４シーケンスはデータチャネルにより伝達されるデータ、制御チャネルにより伝達される制御情報、等に対応する。第２時間ドメインシーケンスは、Ｍ個の第１情報要素を伝達するシーケンスであり、Ｍ個の第１情報要素は、制御情報又はデータチャネルにより伝達されるデータであって良い。
【０１３８】
送信装置は、予め決定された規則に従い第３シーケンスを取得して良く、第３シーケンスは、既存の参照信号シーケンス、又は低ピーク対平均比特性を有する別のシーケンス、例えば定数係数特性を有するシーケンスであって良い。
【０１３９】
任意で、送信装置は、第２時間ドメインシーケンスを得るために、Ｍ個の第１情報要素のシーケンスを伝達するために参照信号シーケンスに対応する時間ドメインシーケンスを使用して良い。伝達するステップは、参照信号シーケンスに対応する時間ドメインシーケンスを、対応する位置にあるＭ個の第１情報要素のシーケンスにより乗算するステップであって良い。もちろん、第２時間ドメインシーケンスは、代替で、以下の方法：送信装置により、所定規則に従い低ピーク対平均比特性を有するシーケンスを取得し、シーケンスの対応する位置にある要素をＭ個の第１情報要素の対応する位置にある要素により乗算する、つまり第２時間ドメインシーケンスを得るために、Ｍ個の第１情報要素を変調するためにシーケンスを使用するステップで、取得されて良い。
【０１４０】
任意で、第３シーケンスは、被送信情報を伝達するシーケンスであって良い。この場合、第１時間ドメインシーケンスは、Ｍ個の第２情報要素を伝達するために予め決定されたシーケンスを使用することにより得られたシーケンスである。
【０１４１】
さらに、第２実装では、２つの信号の組合せは次の組合せであって良い。Ｍ個の第１情報要素は１次同期信号であり、Ｍ個の第２情報要素は２次同期信号である、又は、
Ｍ個の第１情報要素は２次同期信号であり、Ｍ個の第２情報要素は１次同期信号である、又は、
Ｍ個の第１情報要素は２次同期信号の第１部分であり、Ｍ個の第２情報要素は２次同期信号の第２部分である、又は、
Ｍ個の第１情報要素は１次同期信号の第１部分であり、Ｍ個の第２情報要素は１次同期信号の第２部分である、又は、
Ｍ個の第１情報要素は物理ブロードキャストチャネル情報であり、Ｍ個の第２情報要素は１次同期信号である、又は、
Ｍ個の第１情報要素は物理ブロードキャストチャネル情報であり、Ｍ個の第２情報要素は２次同期信号である。
【０１４２】
留意すべきことに、前述の組合せは単なる例であり、本発明の本実施形態はこれに限定されない。
【０１４３】
一例では、図４に示す周波数分割多重は、ブロードキャストチャネル（例えば、ＰＢＣＨにより伝達される情報）及びダウンリンクデータチャネル（例えば、ＰＤＳＣＨにより伝達されるデータ）に対して実行され、ＰＢＣＨは前述の実施形態の同相成分ｘ（ｔ）に対応し、ＰＤＳＣＨは前述の実施形態の直交成分ｙ（ｔ）に対応する。このように、前述の２つのチャネルは、同時に送信され、比較的低いピーク対平均比が保たれる。
【０１４４】
一例では、時間ドメイン多重化は、ＤＦＴマッピングの前にＰＳＳ及びＳＳＳに対して実行されて良く、ＰＳＳ及びＳＳＳはそれぞれ前述の実施形態の同相成分ｘ（ｔ）及び直交成分ｙ（ｔ）に対応し、同相成分ｘ（ｔ）及び直交成分ｙ（ｔ）はＤＦＴの後に同じシンボルにマッピングされる。このように、前述の２つの同期信号が同時に送信されるとき、比較的低いピーク対平均比が保たれる。
【０１４５】
一例では、ＰＳＳ又はＳＳＳは、インタリーブド送信を実行するために、同相信号及び直交信号に分けられて良い。例えば、ＳＳＳは、相互に直交し且つ独立の２つの信号、つまり同相信号及び直交信号に分けられる。同相信号はＳＳＳの直交成分を送信するために使用され、直交信号はＳＳＳの同相成分を送信するために使用される。２つの信号は、それぞれ、図５に示されるように、被送信時間−周波数リソースの２つのコームに対応する。本例では、１つの信号は同相信号及び直交信号に分けられ、２つのコームにマッピングされ、コームの異なる信号によると、セル識別情報のような異なる情報が送信でき、又は異なるサブフレームタイプが区別できる。例えば、第１信号は第１サブフレームタイプ：周波数分割複信（Frequency  Division  Duplexing、ＦＤＤ）サブフレームタイプに対応し、第２信号は第２サブフレームタイプ：時分割複信（Time  Division  Duplexing、ＴＤＤ）サブフレームタイプに対応する。代替で、異なる送信瞬間に区別できるように、１つの信号が同相信号及び直交信号に分けられ、同じシンボルにマッピングされる。例えば、第１信号は第１送信瞬間に対応し、第２信号は第２送信瞬間に対応する。
【０１４６】
任意で、本発明の全ての実施形態における予め決定されたシーケンス、例えばＭ個の第１情報要素を伝達するために使用される前述のシーケンス、又は第１実装における第３シーケンスは、ＺＣ（Zadoff−Chu）シーケンス、ＺＣシーケンスの循環的拡張シーケンス、ＺＣシーケンスの短縮シーケンス、又は低ピーク対平均比／三次元計量を有する別のシーケンスであって良い。例えば、予め決定されたシーケンスは、現在のＬＴＥシステムで使用される参照信号シーケンスに対応する時間ドメインシーケンス又は周波数ドメインシーケンスであって良い。
【０１４７】
さらに、予め決定されたシーケンスは、現在のＬＴＥシステムにおける参照信号シーケンスであり、任意で、予め決定されたシーケンスは、特に次の形式で表される。
【数５】
0006462952.tif 000006
Ｊは奇数である；及び
【数６】
0006462952.tif 000007
Ｊは偶数である。
【０１４８】
ここで、ＪはＺＣシーケンスの長さである。本実施形態では、任意で、Ｊ＝Ｍ、又はもちろん、ＪはＭに等しくなくて良く、ｑ及びＪは互いに素の整数である。
【０１４９】
もちろん、予め決定されたシーケンスは、代替で、低ピーク対平均比特性を有する別のシーケンスであって良い。
【０１５０】
さらに、本発明の全ての実施形態で、２Ｍ個のサブキャリアは、全帯域幅にある全てのサブキャリアであって良く、又は全帯域幅にある幾つかのサブキャリアであって良い。望ましくは、２Ｍ個のサブキャリアは、周波数ドメインにおける、２Ｍ個の連続するサブキャリア、又は２Ｍ個の等間隔のサブキャリアである。このようにあ、時間ドメインシンボルの残りのサブキャリアは、別の信号を更に伝達して良い。つまり、２Ｍ個のサブキャリアで伝達される信号及び別の信号は、周波数分割多重方法において同じ時間ドメインシンボルで送信されて良い。
【０１５１】
例えば、制御情報及び参照信号のような端末装置Ａにより送信される信号、及び端末装置Ｂにより送信されるサウンディング参照信号（Sounding  Reference  Signal、ＳＲＳ）は、周波数分割方法において同じシンボルにある物理リソース上に多重化されて良い。端末装置Ａについて、周波数分割方法で多重化される制御情報及び参照信号に対応する第１時間ドメイン信号及び第２時間ドメイン信号は、Ｉ／Ｑ直交し、比較的高いピーク対平均比が引き起こされない。
【０１５２】
添付の図面を参照して、以下は、前述の任意実施形態の幾つかの実装の例を記載する。
【０１５３】
第１方法は、図６Ａ及び図６Ｂに示される。
【０１５４】
図６Ａでは、第１シーケンスは第３シーケンスであり、第２シーケンスは第４シーケンスである。ステップ３０１の前に、本実施形態は、以下のステップを更に含む。
【０１５５】
ステップ３００ａ１：送信装置は、第３シーケンスａ（ｋ）及び第２時間ドメインシーケンスを取得する。
【０１５６】
ステップ３００ａ２：送信装置は、第２時間ドメインシーケンスｙ（ｔ）に対して第１位相回転を実行し、第４シーケンスを得るために、回転された第２時間ドメインシーケンスに対してＤＦＴを実行する。
【０１５７】
このように、ステップ３０１で、送信装置は、２Ｍ個のサブキャリアの中のＭ個の偶数番号のサブキャリアに第３シーケンスをマッピングし、２Ｍ個のサブキャリアの中のＭ個の奇数番号のサブキャリアに第４シーケンスをマッピングする。
【０１５８】
図６Ｂでは、第１シーケンスは第４シーケンスであり、第２シーケンスは第３シーケンスである。ステップ３０１の前に、本実施形態は、送信装置により、第３シーケンスａ（ｋ）及び第２時間ドメインシーケンスｙ（ｔ）を取得するステップと、送信装置により、第４シーケンスを得るために、第２時間ドメインシーケンスに対してＤＦＴを実行するステップと、を更に含む。
【０１５９】
このように、ステップ３０１で、送信装置は、２Ｍ個のサブキャリアの中のＭ個の奇数番号のサブキャリアに第３シーケンスをマッピングし、２Ｍ個のサブキャリアの中のＭ個の偶数番号のサブキャリアに第４シーケンスをマッピングする。
【０１６０】
さらに、ステップ３０２で、送信装置が、送信信号を生成するために、２Ｍ個のサブキャリアにマッピングされたシーケンスを時間ドメインに変換することは、送信装置により、送信信号を生成するために、２Ｍ個のサブキャリアにマッピングされたシーケンスに対してＩＦＦＴを実行することであって良い。本発明の本実施形態では、送信信号は全てこの方法で生成でき、詳細は繰り返し以下に記載されない。
【０１６１】
第２方法は、図７Ａ及び図７Ｂに示される。
【０１６２】
図７Ａでは、第１シーケンスは第３シーケンスであり、第２シーケンスは第４シーケンスである。ステップ３０１の前に、本実施形態は、以下のステップを更に含む。
【０１６３】
ステップ３００ｂ１：送信装置は第２時間ドメインシーケンスを取得する。
【０１６４】
留意すべきことに、本発明の本実施形態における第３シーケンスは、参照信号シーケンスであって良く、つまり、被送信信号を伝達し、又は、Ｍ個の第２情報要素を伝達するシーケンスであって良い。同じことが以下の実施形態に当てはまり、詳細は以下に繰り返し記載されない。第３シーケンスがＭ個の第２情報要素を伝達するシーケンスである場合、ステップ３００ｂ１で第１時間ドメインシーケンスも得られる。
【０１６５】
さらに、本発明の本実施形態では、第１時間ドメインシーケンス及び第２時間ドメインシーケンスを取得する方法はいずれも限定されない。前述の記載を参照して良い。例えば、第１時間ドメインシーケンスが被送信情報を伝達しない場合、送信装置は、所定規則に従い予め決定されたシーケンスを取得して良く、つまり第３シーケンスを取得する。第１時間ドメインシーケンスが被送信情報を伝達する場合、送信装置は、予め決定されたシーケンスを取得し、次に、第１時間ドメインシーケンスを得るために、被送信情報を予め決定されたシーケンスに付加する。予め決定されたシーケンスは、予め決定された規則に従い取得されて良く、又は、送信装置に予め格納されて良く、又は送信装置と受信装置との間で予め交渉されて良い、等である。第２時間ドメインシーケンスを取得する方法は、第１時間ドメインシーケンスが被送信情報を伝達する場合と同様であり、詳細はここに繰り返し記載されない。
【０１６６】
ステップ３００ｂ２：送信装置は、第４シーケンスを得るために、第１位相回転とＭ＊Ｍ  ＤＦＴ変換の結合変換を第２時間ドメインシーケンスに対して実行する。
【０１６７】
留意すべきことに、ステップ３００ｂ１で第１時間ドメインシーケンスも得られる場合、このステップで、送信装置は、第１時間ドメインシーケンスに対してＤＦＴを更に実行する必要がある。
【０１６８】
代替で、送信装置は、同時に第１時間ドメインシーケンス及び第２時間ドメインシーケンスを変換して良い。したがって、このステップで、第１時間ドメインシーケンス及び第２時間ドメインシーケンスを変換する順序は限定されない。
【０１６９】
このように、ステップ３０１で、送信装置は、２Ｍ個のサブキャリアの中のＭ個の偶数番号のサブキャリアに第３シーケンスをマッピングし、２Ｍ個のサブキャリアの中のＭ個の奇数番号のサブキャリアに第４シーケンスをマッピングする。
【０１７０】
代替で、図７Ａでは、第１シーケンスは第４シーケンスであり、第２シーケンスは第３シーケンスである。ステップ３０１の前に、本実施形態は、以下のステップを更に含む。
【０１７１】
ステップ３００ｃ１：送信装置は第２時間ドメインシーケンスを取得する。
【０１７２】
第３シーケンスの状況は、前述の実施形態における説明と同じであり、詳細は繰り返しここに記載されない。
【０１７３】
ステップ３００ｃ２：第３シーケンスを得るために、第２時間ドメインシーケンスに対してＤＦＴを実行する。
【０１７４】
送信装置が第１時間ドメインシーケンスを取得する場合、このステップは、送信装置により、第４シーケンスを得るために、第１時間ドメインシーケンスに対して第１線形位相回転とＭ×Ｍ  ＤＦＴ変換との結合変換を実行するステップを更に含む。このように、ステップ３０１で、送信装置は、２Ｍ個のサブキャリアの中のＭ個の奇数番号のサブキャリアに第３シーケンスをマッピングし、２Ｍ個のサブキャリアの中のＭ個の偶数番号のサブキャリアに第４シーケンスをマッピングする。
【０１７５】
送信装置が第１時間ドメインシーケンスを取得しないが、第３シーケンスを直接生成する場合、送信装置は、Ｍ個の奇数番号のサブキャリアに第３シーケンスを直接マッピングする。このように、時間ドメインの観点から、第３シーケンスについて、第３シーケンスに対応する第１時間ドメインシーケンスは、第３シーケンスに対して第２結合変換を実行することにより得られたシーケンスである。第２結合変換は、先ず第３シーケンスに対してＩＤＦＴを実行し、次に第２位相回転を実行することに等しい。詳細については、前述の記載を参照のこと。
【０１７６】
前述の第１方法及び第２方法の両者におけるＤＦＴは、Ｍ×Ｍの長さを有するＤＦＴである。
【０１７７】
第３方法は、図８Ａ、図８Ｂ、図８Ｃ、及び図８Ｄに示され、本方法のＤＦＴは２Ｍ×２Ｍの長さを有するＤＦＴである。
【０１７８】
図８Ａでは、第１シーケンスは第３シーケンスであり、第２シーケンスは第４シーケンスである。ステップ３０１の前に、本実施形態は、以下のステップを更に含む。
【０１７９】
ステップ３００ｄ１：送信装置は、第１時間ドメインシーケンス及び第２時間ドメインシーケンスを取得する。
【０１８０】
ステップ３００ｄ２：送信装置は、第１時間ドメインシーケンス及び第２時間ドメインシーケンスを２Ｍの長さを有するシーケンスに拡張する。ここで、第１時間ドメインシーケンスの拡張方法はｘ（ｋ＋Ｍ）＝ｘ（ｋ）、ｋ＝０，１，．．．，Ｍ−１であり、第２時間ドメインシーケンスの拡張方法はｙ（ｋ＋Ｍ）＝−ｙ（ｋ）、ｋ＝０，１，．．．，Ｍ−１である。
【０１８１】
拡張シーケンスは、次のように表される：ｘ（０），ｘ（１），Ｌ，ｘ（Ｍ）＝ｘ（０），ｘ（Ｍ＋１）＝ｘ（１），Ｌ，ｘ（２Ｍ−１）＝ｘ（Ｍ−１）、及びｙ（０），ｙ（１），Ｌ，ｙ（Ｍ−１）＝−ｙ（０），ｙ（Ｍ＋１）＝−ｙ（１），Ｌ，ｙ（２Ｍ−１）＝−ｙ（Ｍ−１）である。
【０１８２】
前述のステップ３００ｄ２で、第１時間ドメインシーケンスが拡張された後に、Ｍの周期を有する対称シーケンスが得られ、及び第２時間ドメインシーケンスが拡張された後に、Ｍの周期を有する反対称シーケンスが得られることが分かる。したがって、前述のステップ３００ｄ２で、第１時間ドメインシーケンスは周期Ｍの中で１回繰り返し、第２時間ドメインシーケンスのＭ個の要素の反数は周期Ｍの中で１回繰り返す。
【０１８３】
ステップ３００ｄ３：送信装置は、第１時間ドメインシーケンス及び第２時間ドメインシーケンスの和に対して２Ｍ×２Ｍの長さを有するＤＦＴを実行し、ＤＦＴの後に得られたシーケンスを２Ｍ個のサブキャリアにマッピングする。
【０１８４】
つまり、２Ｍ×２Ｍの長さを有するＤＦＴは、ｘ（ｉ）＋ｙ（ｉ）に対して実行され、ここでｉ＝０，１，．．．，２Ｍ−１である。ｉ＝０，１，．．．，Ｍ−１のとき、ｘ（ｉ）は前述のｘ（ｔ）であり、ｙ（ｉ）は前述のｙ（ｔ）である。
【０１８５】
もちろん、ステップ３００ｄ３で、２Ｍ×２Ｍの長さを有するＤＦＴは、代替で、拡張された第１時間ドメインシーケンス及び拡張された第２時間ドメインシーケンスに対して別個に実行されて良く、ＤＦＴの後に得られたシーケンスは２Ｍ個のサブキャリアにマッピングされる。
【０１８６】
前述のように２Ｍ個のサブキャリアにマッピングされたシーケンスの中で、第３シーケンスは依然としてＭ個の偶数番号のサブキャリアにマッピングされ、第４シーケンスは依然としてＭ個の奇数番号のサブキャリアにマッピングされる。
【０１８７】
もちろん、第３時間ドメインシーケンスが存在しない場合、本実施形態では、第２時間ドメインシーケンスだけが処理される必要がある。図８Ｃに示すように、前述の拡張は、第２時間ドメインシーケンスに対して実行されて良く、第３シーケンスは偶数番号のサブキャリアにマッピングされる。代替で、図８Ｄに示すように、前述の拡張は、第２時間ドメインシーケンスに対して実行されて良く、第３シーケンスは偶数番号のサブキャリアにマッピングされる。
【０１８８】
代替で、図８Ｂに示すように、第１シーケンスは第４シーケンスであり、第２シーケンスは第３シーケンスである。ステップ３０１の前に、本実施形態は、ステップ３００ｅ２及びステップ３００ｅ３を更に含む。
【０１８９】
ステップ３００ｅ２はステップ３００ｄ２と同様であり、ステップ３００ｅ３はステップ３００ｄ３と同様である。相違点は、本方法では、２Ｍ×２Ｍの長さを有するＤＦＴがｘ（ｉ）＋ｙ（ｉ）に対して実行され、ここでｉ＝０，１，．．．，２Ｍ−１である。ｉ＝０，１，．．．，Ｍ−１のとき、ｘ（ｉ）は前述のｘ（ｔ）であり、ｙ（ｉ）は前述のｙ（ｔ）である。前述のように２Ｍ個のサブキャリアにマッピングされたシーケンスの中で、第３シーケンスはＭ個の奇数番号のサブキャリアにマッピングされ、第４シーケンスはＭ個の偶数番号のサブキャリアにマッピングされる。もちろん、第３時間ドメインシーケンスが存在しない場合、本実施形態では、第２時間ドメインシーケンスだけが処理される必要がある。図８Ｃに示すように、前述の対称的拡張は、第２時間ドメインシーケンスに対して実行されて良く、第３シーケンスは奇数番号のサブキャリアにマッピングされる。任意で、送信信号は第１信号及び第２信号を含み、ここで、Ｍ個の偶数番号のサブキャリアに対応する信号は第１信号であり、Ｍ個の奇数番号のサブキャリアに対応する信号は第２信号である。
【０１９０】
送信装置により送信される送信信号の中で、第１信号は第１電力調整値に対応し、第２信号は第２電力調整値に対応する。
【０１９１】
本発明の本実施形態では、第１信号及び第２信号は異なる電力調整値を用いて送信されて良いことが分かる。例えば、上述のように、第３シーケンスに対応する第１時間ドメインシーケンスにおけるＰは、第２時間ドメインシーケンスにおけるＱと同じ又は異なって良い。
【０１９２】
本実施形態では、異なるキャリアセットで伝達される信号は異なる電力調整値に対応して良い。したがって、より良好なシステム性能を達成するために、被送信信号の特性に従い、柔軟な電力設定が実施され得る。より良好なシステム性能を達成するために、比較的高い電力調整値が参照信号のために設定されて良く、比較的低い電力調整値が被送信データのために設定されて良い。反対に、より良好なデータ送信性能を達成するために、比較的高い電力調整値が被送信データのために設定されて良く、比較的低い電力調整値が参照信号のために設定されて良い。
【０１９３】
図９は、本発明の一実施形態による信号受信方法の概略フローチャートである。留意すべきことに、方法は独立した実施形態として使用されて良く、又は前述の信号送信方法と一緒に使用されて良い。さらに、前述の実施形態における内容と同じ内容については、前述の実施形態における記載を参照し、詳細は繰り返し以下に記載されない。本実施形態は、以下のステップを含む。
【０１９４】
ステップ９０１：受信装置は、２Ｍ個のサブキャリアから信号を受信し、ここで、２Ｍ個のサブキャリアは同じ時間ドメインシンボル上のサブキャリアである。
【０１９５】
ステップ９０２：受信装置は、受信された第１シーケンス及び第２シーケンスを得るために、信号に対して高速フーリエ変換（fast  Fourier  transformation、ＦＦＴ）を実行する。ここで、第１シーケンスは２Ｍ個のサブキャリアの中のＭ個の偶数番号のサブキャリアで伝達され、第２シーケンスは２Ｍ個のサブキャリアの中のＭ個の奇数番号のサブキャリアで伝達され、第１シーケンスは第３シーケンス及び第４シーケンスのうちの一方であり、第２シーケンスは第３シーケンス及び第４シーケンスのうちの他方であり、第４シーケンスはＭ個の第１情報要素を伝達するシーケンスである。
【０１９６】
ステップ９０３：受信装置は、Ｍ個の第１情報要素を得るために、第４シーケンスを伝達するＭ個のサブキャリア上の受信信号に対して信号処理を実行する。ここで、同じ瞬間における第３シーケンスに対応する第１時間ドメインシーケンス及び第４シーケンスに対応する第２時間ドメインシーケンスの要素について、複合要素が取り出されるとき、第１時間ドメインシーケンス及び第２時間ドメインシーケンスの一方は同相成分であり、他方は直交成分である。
【０１９７】
前述のＩ／Ｑ直交特性は、受信機の信号処理において使用されて良く、相応して、特定の送信方法では、対応する受信方法が存在して良い。例えば、ある瞬間に、第２時間ドメインシーケンスは直交成分であり、受信機は、Ｍ個の第１情報要素を得るために、信号処理のために受信した第２時間ドメインシーケンスの直交成分のみを取得して良い。概して、複合要素が取り出されるとき、送信信号がある瞬間にＩ成分（又はＱ成分）であるという特性に従い、受信機は、信号の中のＩ成分（又はＱ成分）を得るために受信側で複合要素を取り出して良い。
【０１９８】
本実施形態では、受信装置により、第４シーケンスを伝達するＭ個のサブキャリア上の受信信号に対して信号処理を実行するステップは、チャネル推定結果に基づき信号処理を実行するステップであって良い。第３シーケンスが参照信号シーケンスである場合、チャネル推定結果は、第３シーケンスに基づきチャネル推定を実行することにより得られた結果であって良い。第３シーケンスが参照信号シーケンスではない場合、チャネル推定結果は、別の信号に基づきチャネル推定を実行することにより得られて良く、例えば、共通参照信号に基づきチャネル推定を実行することにより得られて良い。
【０１９９】
受信装置のステップでは、同じ内容については、前述の実施形態における記載を参照し、詳細は繰り返し以下に記載されない。
【０２００】
前述の実施形態において記載したように、同じ時間ドメインシンボルで送信される２つの信号に対応する時間ドメインシーケンスは、同相成分及び直交成分送信の特性を満たす。つまり、同じ時間ドメインシンボルで送信される２つの信号に対応する時間ドメインシーケンスの要素は、Ｉ／Ｑ直交する。したがって、２つの信号が同じ時間ドメインシンボル（例えば、１つのシンボル）で同時に送信されるとき、２つの信号が重畳された後に得られる信号の振幅値は、低ピーク対平均比を保つことができる。したがって、２つの信号が重畳された後に得られる信号は、位相ランダム性により引き起こされる高ピーク対平均比を有する可能性が低く、ピーク対平均比は僅かに増大される。さらに、２つの信号は、周波数分割及び直交特性を満たし、一方の信号は他方の信号のサブキャリア上に存在せず、２つの信号は容易に区別可能である。したがって、受信中に２つの信号の間には僅かな干渉しか又は全く干渉が存在しない。
【０２０１】
前述の異なる任意実施形態では、受信装置は異なる処理を実行する。
【０２０２】
前述の第１任意実施形態との対応。
【０２０３】
第１シーケンスは第３シーケンスであり、第２シーケンスは第４シーケンスである。
【０２０４】
受信装置により、Ｍ個の第１情報要素を得るために、第４シーケンスを伝達するＭ個のサブキャリア上の受信信号に対して信号処理を実行するステップは、
受信装置により、受信した第２時間ドメインシーケンスを得るために、Ｍ個の奇数番号のサブキャリアで伝達される受信した第４シーケンスに対して第２結合変換を実行するステップであって、第２結合変換は、逆離散型フーリエ変換ＩＤＦＴと第２位相回転との結合変換である、ステップと、
受信装置により、Ｍ個の第１情報要素を得るために、受信した第２時間ドメインシーケンスを復調するステップと、を含む。
【０２０５】
第１時間ドメインシーケンスは、第３シーケンスに対してＩＤＦＴを実行することにより得られたシーケンスである。留意すべきことに、第１時間ドメインシーケンスは、必ずしも第３シーケンスを変換することにより得られるのではなく、時間ドメインの観点から、第３シーケンスについて、第３シーケンスはこの特性を有する。例えば、第３シーケンスがＲＳシーケンスである場合、ＩＤＦＴ処理は、ＲＳシーケンスに対して実行される必要がない。第３シーケンスが情報要素も伝達する場合、受信装置は、受信した第１時間ドメインシーケンスを得るために、受信した第３シーケンスに対してＩＤＦＴを実行して良い。
【０２０６】
受信した第２時間ドメインを得るために、受信した第４シーケンスに対して第２結合変換を実行するステップは、
受信装置により、受信した第２時間ドメインシーケンスに対して、Ｍ×Ｍ逆離散型フーリエ変換ＩＤＦＴとＭ個の要素の位相回転との結合変換を実行するステップを含む。
【０２０７】
Ｍ個の要素に対応する位相は、それぞれｅｊ×２ｔπ／２Ｍであり、ここでｔ＝０，１，．．．，Ｍ−１である。第２結合変換は、Ｍ×Ｍ  ＩＤＦＴを実行し、ＩＤＦＴの後に得られたシーケンスのＭ個の要素に対して対応する第２位相回転を実行することに等しい。
【０２０８】
前述の第２任意実施形態との対応。
【０２０９】
第１シーケンスは第４シーケンスであり、第２シーケンスは第３シーケンスであり、第１時間ドメインシーケンスは、第３シーケンスに対して第２結合変換を実行することにより得られたシーケンスであり、第２結合変換はＭ×Ｍ逆離散型フーリエ変換ＩＤＦＴと第２位相回転との結合変換であり、第１時間ドメインシーケンスのＭ個の要素に対応する第２位相回転は、それぞれｅｊ×２ｔπ／２Ｍ、ｔ＝０，１，．．．，Ｍ−１である。
【０２１０】
同様に、第１時間ドメインシーケンスは、必ずしも第３シーケンスを変換することにより得られるのではなく、時間ドメインの観点から、第３シーケンスについて、第３シーケンスはこの特性を有する。
【０２１１】
受信装置により、Ｍ個の第１情報要素を得るために、第４シーケンスを伝達するＭ個のサブキャリア上の受信信号に対して信号処理を実行するステップは、
受信装置により、受信した第２時間ドメインシーケンスを得るために、Ｍ個の偶数番号のサブキャリアで伝達される受信した第４シーケンスに対してＭ×Ｍ  ＩＤＦＴを実行するステップと、
受信装置により、Ｍ個の第１情報要素を得るために、受信した第２時間ドメインシーケンスを復調するステップと、を含む。
【０２１２】
さらに、第３シーケンスが情報要素を伝達する場合、受信装置により、受信された第１シーケンス及び第２シーケンスを得るために、信号に対してＦＦＴを実行するステップの後に、方法は、
受信装置により、受信した第１時間ドメインシーケンスを得るために、受信した第２シーケンスに対して、Ｍ×Ｍ逆離散型フーリエ変換ＩＤＦＴと第２位相回転との結合変換を実行するステップと、
受信装置により、第１時間ドメインシーケンスにより伝達されるＭ個の第２情報要素を得るために、受信した第１時間ドメインシーケンスを復調するステップと、を更に含む。
【０２１３】
前述の第３任意実施形態との対応。
【０２１４】
受信装置により、Ｍ個の第１情報要素を得るために、第４シーケンスを伝達するＭ個のサブキャリア上の受信装置に対しｔえ信号処理を実行するステップは、
受信装置により、受信した第４シーケンスに対してチャネル等化を実行するステップと、
受信装置により、長さが２Ｍになるように０を挿入することにより受信した第４シーケンスを拡張するステップと、
受信装置により、受信した第２時間ドメインシーケンスを得るために、拡張された受信した第４シーケンスに対して２Ｍ×２Ｍ  ＩＤＦＴを実行するステップであって、第２時間ドメインシーケンスは、２Ｍ×２Ｍ  ＩＤＦＴの後に得られたシーケンスの最初のＭ個の要素又はＩＤＦＴの後に得られたシーケンスの最後のＭ個の要素の反数であり、受信した第２時間ドメインシーケンスを得るために、ＩＤＦＴの後に得られたシーケンスの最初のＭ個の要素が抽出されるようにする、ステップと、
受信装置により、Ｍ個の第１時間ドメインシーケンスを得るために、受信した第２時間ドメインシーケンスを復調するステップと、を含む。
【０２１５】
さらに、第３シーケンスが情報要素も伝達する場合、受信装置により、受信された第１シーケンス及び第２シーケンスを得るために、信号に対して高速フーリエ変換ＦＦＴを実行するステップの後に、方法は、
受信装置により、受信した第３シーケンスに対してチャネル等化を実行するステップと、
受信装置により、０を挿入することにより受信した第３シーケンスを２Ｍの長さを有するシーケンスに拡張するステップと、
拡張された受信した第３シーケンスに対して２Ｍ×２Ｍ  ＩＤＦＴを実行するステップであって、受信した第１時間ドメインシーケンスはＩＤＦＴの後に得られたシーケンスの最初のＭ個の要素又は最後のＭ個の要素である、ステップと、
受信装置により、第３シーケンスにより伝達されるＭ個の第２情報要素を得るために、受信した第１時間ドメインシーケンスを復調するステップと、を更に含む。
【０２１６】
前述の第４任意実施形態との対応。
【０２１７】
受信装置により、Ｍ個の情報要素を得るために、第４シーケンスを伝達するＭ個のサブキャリア上の受信信号に対して信号処理を実行するステップは、
受信装置により、長さが２Ｍになるよう０を挿入することにより第４シーケンスを拡張するステップと、
受信装置により、第２時間ドメインシーケンスを得るために、拡張された第４シーケンスに対して２Ｍ×２Ｍ  ＩＤＦＴを実行するステップであって、第２時間ドメインシーケンスは２Ｍ×２Ｍ  ＩＤＦＴの後に得られたシーケンスの最初のＭ個の要素又は最後のＭ個の要素である、ステップと、
受信装置により、Ｍ個の第１情報要素を得るために、第２時間ドメインシーケンスを復調するステップと、を含む。
【０２１８】
さらに、第３シーケンスが情報要素も伝達する場合、受信装置により、受信された第１シーケンス及び第２シーケンスを得るために、信号に対して高速フーリエ変換ＦＦＴを実行するステップの後に、方法は、
受信装置により、長さが２Ｍになるように０を挿入することにより第３シーケンスを拡張するステップと、
拡張された受信した第３シーケンスに対して２Ｍ×２Ｍ  ＩＤＦＴを実行するステップであって、第１時間ドメインシーケンスはＩＤＦＴの後に得られたシーケンスの最初のＭ個の要素又はＩＤＦＴの後に得られたシーケンスの最後のＭ個の反数である、ステップと、
受信装置により、第３シーケンスにより伝達されるＭ個の第２情報要素を得るために、第１時間ドメインシーケンスを復調するステップと、を更に含む。
【０２１９】
以下は、本発明の実施形態における技術的ソリューションを更に説明するために、特定の適用例を用いる。
【０２２０】
本例では、２つの信号は、それぞれ、アップリンク参照信号及び被送信アップリンク制御情報である。被送信アップリンク制御チャネルは、Ｍ個の情報要素を含み、送信装置は端末装置であり、受信装置はアクセスネットワーク装置である。第１シーケンスは第３シーケンスであり、アップリンク参照信号に対応し、第２シーケンスは第４シーケンスであり、アップリンク制御情報に対応する。
【０２２１】
本例では、アップリンク制御情報及びアップリンク参照信号は、１つの時間ドメインシンボル上の２Ｍ個のサブキャリアを占有する。アップリンク制御情報は、２Ｍ個のサブキャリアの中のＭ個の奇数番号のサブキャリア（例えば、１，３，５，７，．．．と番号付けされたサブキャリア）を占有し、アップリンク参照信号は、２Ｍ個のサブキャリアの中のＭ個の偶数番号のサブキャリア（例えば、０，２，４，６，．．．と番号付けされたサブキャリア）を占有する。もちろん、被送信アップリンク制御情報は２Ｍ個のサブキャリアの中のＭ個の偶数番号のサブキャリアを占有して良く、アップリンク参照信号は２Ｍ個のサブキャリアの中のＭ個の奇数番号のサブキャリアを占有して良い。本例では、前者の情報が説明のための一例として用いられる。
【０２２２】
第１シーケンスの要素は、所定規則に従い得られて良い。例えば、第１シーケンスは、Ｚａｄｏｆｆ−Ｃｈｕシーケンス（Zadoff−Chu  sequence、ＺＣシーケンス）、ＺＣシーケンスの循環的拡張シーケンス、ＺＣシーケンスの短縮シーケンス、又はロングタームエボリューションＬＴＥシステムにおいて参照信号により使用されるシーケンスに対応するシーケンス、例えば対応する時間ドメインシーケンス若しくは周波数ドメインシーケンスであって良い。
【０２２３】
本例では、アップリンク参照信号に対応する第１シーケンスは予め定められる。第２シーケンスに対応する第２時間ドメインシーケンスは、第１シーケンスに基づき構成され、第２時間ドメインシーケンスはＭ個の情報要素の変調された位相情報を伝達する。さらに、第１シーケンスに対応する時間ドメイン信号は同相成分であり、第２時間ドメインシーケンスに対応する信号は直交成分である。例えば、第２シーケンスに対応する時間ドメイン信号と第１シーケンスに対応する時間ドメイン信号との間の差は、正又は負の虚数単位である。
【０２２４】
端末装置は、所定の第１シーケンスを取得し、第２時間ドメインシーケンスを得るために、Ｍ個の情報要素を伝達するために第１シーケンスに対応する時間ドメインシーケンスを使用する。例えば、端末装置により取得される第１シーケンスはａ（ｋ）として表され、ここでｋ＝０，１，Ｌ，Ｍ−１であり、第１シーケンスに対応する第１時間ドメインシーケンスはｘ（ｔ）として表され、ここでｔ＝０，１，Ｌ，Ｍ−１であり、ｘ（ｔ）はｘ（ｔ）＝ｚ（ｔ）×ｇ（ｔ）として表されて良い。第２時間ドメインシーケンスは、ｙ（ｔ）＝ｚ（ｔ）×Ｑｔ×ｈ（ｔ）として表されて良い。Ｑｔ＝ｊ又は−ｊであり、Ｑｔがｊ又は−ｊであるかは、Ｍ個の情報要素の中のｔ番目の情報要素に依存する。例えば、ｔ番目の被送信情報要素が１ならばＱｔはｊであって良く、又はｔ番目の被送信情報要素が−１ならばＱｔは−ｊであって良い。あるいは、ｔ番目の被送信情報要素が１ならばＱｔは−ｊであって良く、又はｔ番目の被送信情報要素が−１ならばＱｔはｊであって良い。このように、同じ瞬間における第１時間ドメインシーケンス及び第２時間ドメインシーケンスの要素について、共通複合要素ｚ（ｔ）が取り出されるとき、第１時間ドメインシーケンス及び第２時間ドメインシーケンスは、それぞれ、ベースバンド信号の中の同相成分及び直交成分に対応する。
【０２２５】
第１シーケンス及び第２時間ドメインシーケンスを取得した後に、端末装置は、第２時間ドメインシーケンスに対して第１結合変換を実行する。例えば、端末装置は、第１線形位相回転の後に回転された第２時間ドメインシーケンスを取得して良く、第２シーケンスを得るために、回転された第２時間ドメインシーケンスに対してＤＦＴを実行し、次に、第２シーケンスをＭ個の奇数番号のサブキャリアにマッピングし、第１シーケンスをＭ個の偶数番号のサブキャリアにマッピングする。
【０２２６】
第２時間ドメインシーケンスのＭ個の要素ｙ（ｔ）に対応する第１線形位相は、それぞれｅ−ｊ×２ｔπ／２Ｍであり、ここでｔ＝０，１，．．．，Ｍ−１である。したがって、同じ瞬間における第１時間ドメインシーケンス及び第２時間ドメインシーケンスの要素について、共通複合要素ｚ（ｔ）が取り出されるとき、第１時間ドメインシーケンス及び第２時間ドメインシーケンスは、それぞれ、ベースバンド信号の中の同相成分（実数部分）及び直交成分（虚数部分）に対応する。時間ドメイン信号と周波数ドメイン信号との間の対応がＭ×Ｍ  ＤＦＴ変換であるか又は第１線形位相回転とＭ×Ｍ  ＤＦＴ変換との結合変換であるかは、シーケンスのマッピングされるサブキャリアが偶数番号のサブキャリア又は奇数番号のサブキャリアであるかに従い決定される。したがって、第１時間ドメインシーケンス及び第２時間ドメインシーケンスのＩ／Ｑ直交特性は保証され得る。このように、第１時間ドメイン信号及び第２時間ドメイン信号により共にもたらされるピーク対平均比（又は三次元計量）は、最終的に送信される実際の信号のピーク対平均比（又は三次元計量）を反映する。
【０２２７】
したがって、同じ瞬間における第１時間ドメインシーケンス及び第２時間ドメインシーケンスの要素について、共通複合要素ｚ（ｔ）が取り除かれた後に、第１時間ドメインシーケンス及び第２時間ドメインシーケンスは、それぞれ、ベースバンド信号の中の同相成分及び直交成分に対応する。つまり、第１時間ドメインシーケンスｘ（ｔ）及び第２時間ドメインシーケンスｙ（ｔ）について、共通要素が取り除かれた後に、一方はベースバンド信号の同相成分であり、他方はベースバンド信号の直交成分である。共通要素は複合要素であり、特定の場合には、複合要素は一定であって良い。例えば、本例におけるｇ（ｔ）及びｈ（ｔ）の値は＋１又は−１なので、共通要素が取り除かれた後の第１時間ドメインシーケンスの対応する部分が同相成分であり、共通要素が取り除かれた後の第２時間ドメインシーケンスの対応する部分が直交成分である。
【０２２８】
Ｍ個の偶数番号のサブキャリア上のシーケンスｘ（ｔ）は、既知の循環的拡張ＺＣシーケンスである。したがって、チャネル推定は、既知のシーケンスに基づき実行されて良く、Ｍ個の奇数番号のサブキャリア全部のチャネル推定値は、チャネル補間アルゴリズムを用いて得られる。任意で、補間アルゴリズムは、線形内挿又は線形外挿のような標準的且つ一般的なアルゴリズムであって良い。次に、変調された位相値が、第２サブキャリアグループの中のＭ個のサブキャリアの前述の推定されたチャネル値及び第２シーケンスｙ（ｋ）に基づき検出される。このように、Ｍ個の奇数番号のサブキャリアの各々により伝達される変調された位相値が得られる。
【０２２９】
図１０は、本発明の一実施形態による信号送信装置の概略構造図である。留意すべきことに、装置は、前述の実施形態における方法を実行するよう構成されて良い。したがって、前述の実施形態における内容と同じ内容については、前述の実施形態における記載を参照し、詳細は繰り返し以下に記載されない。
【０２３０】
本実施形態における装置は、処理モジュール及び送信モジュールを含んで良い。もちろん、装置は、記憶モジュール、受信モジュール、等を更に含んで良い。記憶モジュールは、例えば、予め決定されたシーケンスを格納して良く、又は予め決定された規則を格納して良い、等である。
【０２３１】
処理モジュールは、２Ｍ個のサブキャリアの中のＭ個の偶数番号のサブキャリアに第１シーケンスをマッピングし、２Ｍ個のサブキャリアの中のＭ個の奇数番号のサブキャリアに第２シーケンスをマッピングし、第１シーケンスは第３シーケンス及び第４シーケンスのうちの一方であり、第２シーケンスは第３シーケンス及び第４シーケンスのうちの他方であり、２Ｍ個のサブキャリアは同じ時間ドメインシンボル上のサブキャリアであり、第４シーケンスはＭ個の第１情報要素を伝達するシーケンスであり、同じ瞬間における第４シーケンスに対応する第２時間ドメインシーケンス及び第３シーケンスに対応する第１時間ドメインシーケンスの要素について、複合要素が取り出されるとき、第１時間ドメインシーケンス及び第２時間ドメインシーケンスの一方は同相成分であり、他方は直交成分である、よう構成される。
【０２３２】
処理モジュールは、送信信号を生成するために、２Ｍ個のサブキャリアにマッピングされたシーケンスを時間ドメインに変換するよう更に構成される。
【０２３３】
送信モジュールは、処理モジュールにより生成された送信信号を送信するよう構成される。
【０２３４】
前述の実施形態において記載したように、同じ時間ドメインシンボルで送信される２つの信号に対応する時間ドメインシーケンスは、同相成分及び直交成分送信の特性を満たす。つまり、同じ時間ドメインシンボルで送信される２つの信号に対応する時間ドメインシーケンスは直交する。したがって、２つの信号が同じ時間ドメインシンボル（例えば、１つのシンボル）で同時に送信されるとき、２つの信号が重畳された後に得られる信号の振幅値は、低ピーク対平均比を保つことができる。したがって、２つの信号が重畳された後に得られる信号は、位相ランダム性により引き起こされる高ピーク対平均比を有する可能性が低く、ピーク対平均比は僅かに増大される。さらに、２つの信号は、周波数分割及び直交特性を満たし、一方の信号は他方の信号のサブキャリア上に存在せず、２つの信号は容易に区別可能である。したがって、受信中に２つの信号の間には僅かな干渉しか又は全く干渉が存在しない。
【０２３５】
前述の第１任意実施形態との対応。
【０２３６】
第１シーケンスは第３シーケンスであり、第２シーケンスは第４シーケンスである。
【０２３７】
処理モジュールは、第２シーケンスを２Ｍ個のサブキャリアの中のＭ個の奇数番号のサブキャリアにマッピングする前に、第２シーケンスを得るために、第２時間ドメインシーケンスに対して第１結合変換を実行するよう更に構成される。ここで、第１結合変換は、Ｍ個の要素の第１線形位相回転とＤＦＴ変換との結合変換である。
【０２３８】
さらに、第１結合変換は、Ｍ個の要素に対応する第１位相回転とＭ×Ｍ離散型フーリエ変換ＤＦＴとの結合変換であり、Ｍ個の要素に対応する第１位相回転は、それぞれｅ−ｊ×２ｔπ／２Ｍであり、ここでｔ＝０，１，．．．，Ｍ−１である。
【０２３９】
さらに、第１時間ドメインシーケンスは、第１シーケンスに対して逆離散型フーリエ変換ＩＤＦＴを実行することにより得られたシーケンスである。
【０２４０】
処理モジュールは、以下の方法：第２時間ドメインシーケンスのＭ個の要素に対してそれぞれ対応する第１位相回転を実行するステップと、第２シーケンスを得るために、回転された第２時間ドメインシーケンスに対してＭ×Ｍ  ＤＦＴを実行するステップであって、Ｍ個の要素に対応する第１位相回転はそれぞれｅ−ｊ×２ｔπ／２Ｍ、ｔ＝０，１，．．．，Ｍ−１である、ステップとで、第２シーケンスを得るために、第２時間ドメインシーケンスに対して第１結合変換を実行するよう構成される。
【０２４１】
前述の第２任意実施形態との対応。
【０２４２】
第１シーケンスは第４シーケンスであり、第２シーケンスは第３シーケンスであり、第１時間ドメインシーケンスは、第２シーケンスに対して第２結合変換を実行することにより得られたシーケンスであり、第２結合変換はＭ×Ｍ逆離散型フーリエ変換ＩＤＦＴと第２位相回転との結合変換であり、第１時間ドメインシーケンスのＭ個の要素に対応する第２位相回転は、それぞれｅｊ×２ｔπ／２Ｍ、ｔ＝０，１，．．．，Ｍ−１である。
【０２４３】
処理モジュールは、以下の方法：第１シーケンスを得るために、第２時間ドメインシーケンスに対してＤＦＴを実行し、第１シーケンスをＭ個の偶数番号のサブキャリアにマッピングするステップで、第１シーケンスを２Ｍ個のサブキャリアの中のＭ個の偶数番号のサブキャリアにマッピングするよう構成される。
【０２４４】
さらに、第１シーケンスを２Ｍ個のサブキャリアの中のＭ個の偶数番号のサブキャリアにマッピングし、第２シーケンスを２Ｍ個のサブキャリアの中のＭ個の奇数番号のサブキャリアにマッピングする前に、処理モジュールは、第１時間ドメインシーケンス及び第２時間ドメインシーケンスを取得し、第１時間ドメインシーケンスに対して第１位相回転を実行し、第３シーケンスを得るために、回転された第１時間ドメインシーケンスに対してＤＦＴを実行し、第４シーケンスを得るために、第２時間ドメインシーケンスに対してＤＦＴを実行し、ここで、第１時間ドメインシーケンスのＭ個の要素に対応する第１位相回転は、それぞれｅ−ｊ×２ｔπ／２Ｍ、ｔ＝０，１，．．．，Ｍ−１である、よう構成される。
【０２４５】
処理モジュールが第１時間ドメインシーケンス及び第２時間ドメインシーケンスを取得する方法については、前述の記載を参照し、詳細は繰り返しここに記載されない。
【０２４６】
前述の第３任意実施形態との対応。
【０２４７】
第２時間ドメインシーケンスの長さはＭであり、第４シーケンスは第２時間ドメインシーケンスの拡張シーケンスに対して２Ｍ×２Ｍ  ＤＦＴを実行することにより得られたシーケンスのＭ個の奇数番号の要素であり、第２時間ドメインシーケンスの拡張シーケンスの長さは２Ｍであり、第２時間ドメインシーケンスの拡張シーケンスの最後のＭ個の要素はそれぞれ第２時間ドメインシーケンスのＭ個の要素の反数である。
【０２４８】
第１時間ドメインシーケンスの長さはＭであり、第３シーケンスは第１時間ドメインシーケンスの拡張シーケンスに対して２Ｍ×２Ｍ  ＤＦＴを実行することにより得られたシーケンスのＭ個の偶数番号の要素であり、第１時間ドメインシーケンスの拡張シーケンスの長さは２Ｍであり、第１時間ドメインシーケンスの拡張シーケンスの最後のＭ個の要素はそれぞれ第２時間ドメインシーケンスのＭ個の要素と同じである。
【０２４９】
さらに、第１シーケンスを２Ｍ個のサブキャリアの中のＭ個の偶数番号のサブキャリアにマッピングし、第２シーケンスを２Ｍ個のサブキャリアの中のＭ個の奇数番号のサブキャリアにマッピングする前に、処理モジュールは、第１時間ドメインシーケンスｘ（ｋ）及び第２時間ドメインシーケンスｙ（ｋ）を取得し、第１時間ドメインシーケンスｘ（ｋ）及び第２時間ドメインシーケンスｙ（ｋ）の両方を２Ｍの長さを有するシーケンスに拡張し、ここで第１時間ドメインシーケンスの拡張方法はｘ（ｋ＋Ｍ）＝ｘ（ｋ）であり、第２時間ドメインシーケンスの拡張方法はｙ（ｋ＋Ｍ）＝−ｙ（ｋ）であり、ｋ＝０，１，．．．，Ｍ−１である、よう更に構成される。
【０２５０】
処理モジュールは、以下の方法：第１時間ドメインシーケンス及び第２時間ドメインシーケンスの和に対して２Ｍ×２Ｍ  ＤＦＴを実行し、ＤＦＴの後に得られたシーケンスを２Ｍ個のサブキャリアにマッピングするステップ、又は、第３シーケンスを得るために、第１時間ドメインシーケンスに対して２Ｍ×２Ｍ  ＤＦＴを実行し、第３シーケンスをＭ個の偶数番号のサブキャリアにマッピングし、第４シーケンスを得るために、第２時間ドメインシーケンスに対して２Ｍ×２Ｍ  ＤＦＴを実行し、第４シーケンスをＭ個の奇数番号のサブキャリアにマッピングするステップで、第１シーケンスを２Ｍ個のサブキャリアの中のＭ個の偶数番号のサブキャリアにマッピングし、第２シーケンスを２Ｍ個のサブキャリアの中のＭ個の奇数番号のサブキャリアにマッピングする。
【０２５１】
前述の第４任意実施形態との対応。
【０２５２】
第３の実施形態からの相違点は、第１時間ドメインシーケンス及び第２時間ドメインシーケンスの拡張方法が、第３の実施形態における方法と全く反対であることである。
【０２５３】
さらに、送信信号は第１信号及び第２信号を含み、ここで、Ｍ個の偶数番号のサブキャリアに対応する信号は第１信号であり、Ｍ個の奇数番号のサブキャリアに対応する信号は第２信号である。
【０２５４】
送信モジュールは、以下の方法：第１信号と第１電力調整値との積信号、及び第２信号と第２電力調整値との積信号を送信するステップ、で送信信号を送信する。
【０２５５】
さらに、本２Ｍ個のサブキャリアは、全帯域幅の全てのサブキャリアであって良く、又は全帯域幅の幾つかのサブキャリアであって良い。
【０２５６】
留意すべきことに、アップリンク信号では、本実施形態における信号送信装置は、端末装置であって良く、又は端末装置内のプロセッサであって良い。ダウンリンク信号では、信号送信装置はアクセスネットワーク装置であって良く、又はアクセスネットワーク装置内のプロセッサであって良い。
【０２５７】
図１１は、本発明の一実施形態による信号受信装置の概略構造図である。留意すべきことに、装置は、前述の実施形態における方法を実行するよう構成されて良い。したがって、前述の実施形態における内容と同じ内容については、前述の実施形態における記載を参照し、詳細は繰り返し以下に記載されない。
【０２５８】
本実施形態における装置は、処理モジュール及び受信モジュールを含んで良い。もちろん、装置は、記憶モジュール、送信モジュール、等を更に含んで良い。記憶モジュールは、例えば、予め決定されたシーケンスを格納して良く、又は予め決定された規則を格納して良い、等である。
【０２５９】
受信モジュールは、２Ｍ個のサブキャリアから信号を受信するよう構成され、ここで、２Ｍ個のサブキャリアは同じ時間ドメインシンボル上のサブキャリアである。
【０２６０】
処理モジュールは、受信された第１シーケンス及び第２シーケンスを得るために、受信装置により受信された信号に対して高速フーリエ変換ＦＦＴを実行するよう構成される。ここで、第１シーケンスは２Ｍ個のサブキャリアの中のＭ個の偶数番号のサブキャリアで伝達され、第２シーケンスは２Ｍ個のサブキャリアの中のＭ個の奇数番号のサブキャリアで伝達され、第１シーケンスは第３シーケンス及び第４シーケンスのうちの一方であり、第２シーケンスは第３シーケンス及び第４シーケンスのうちの他方であり、第４シーケンスはＭ個の第１情報要素を伝達するシーケンスである。
【０２６１】
処理モジュールは、Ｍ個の第１情報要素を得るために、第４シーケンスを伝達するＭ個のサブキャリア上の受信信号に対して信号処理を実行するよう更に構成される。ここで、同じ瞬間における第３シーケンスに対応する第１時間ドメインシーケンス及び第４シーケンスに対応する第２時間ドメインシーケンスの要素について、複合要素が取り出されるとき、第１時間ドメインシーケンス及び第２時間ドメインシーケンスの一方は同相成分であり、他方は直交成分である。
【０２６２】
前述の実施形態において記載したように、同じ時間ドメインシンボルで送信される２つの信号に対応する時間ドメインシーケンスは、同相成分及び直交成分送信の特性を満たす。つまり、同じ時間ドメインシンボルで送信される２つの信号に対応する時間ドメインシーケンスは直交する。したがって、２つの信号が同じ時間ドメインシンボル（例えば、１つのシンボル）で同時に送信されるとき、２つの信号が重畳された後に得られる信号の振幅値は、低ピーク対平均比を保つことができる。したがって、２つの信号が重畳された後に得られる信号は、位相ランダム性により引き起こされる高ピーク対平均比を有する可能性が低く、ピーク対平均比は僅かに増大される。さらに、２つの信号は、周波数分割及び直交特性を満たし、一方の信号は他方の信号のサブキャリア上に存在せず、２つの信号は容易に区別可能である。したがって、受信中に２つの信号の間には僅かな干渉しか又は全く干渉が存在しない。
【０２６３】
前述の第１任意実施形態との対応。
【０２６４】
第１シーケンスは第３シーケンスであり、第２シーケンスは第４シーケンスである。
【０２６５】
処理モジュールは、以下の方法：
受信した第２時間ドメインシーケンスを得るために、Ｍ個の奇数番号のサブキャリアで伝達される受信した第２シーケンスに対して第２結合変換を実行するステップであって、第２結合変換は、逆離散型フーリエ変換ＩＤＦＴと第２位相回転との結合変換である、ステップと、
Ｍ個の第１情報要素を得るために、受信した第２時間ドメインシーケンスを復調するステップと、で、Ｍ個の第１情報要素を得るために、第４シーケンスを伝達するＭ個のサブキャリア上の受信信号に対して信号処理を実行するよう構成される。
【０２６６】
さらに、第１時間ドメインシーケンスは、第１シーケンスに対してＩＤＦＴを実行することにより得られたシーケンスである。
【０２６７】
処理モジュールは、以下の方法：
受信した第２シーケンスに対してＭ×Ｍ  ＩＤＦＴを実行し、受信した第２時間ドメインシーケンスを得るために、ＩＤＦＴの後に得られたシーケンスのＭ個の要素に対してそれぞれ対応する第２位相回転を実行するステップであって、
Ｍ個の要素に対応する第２位相回転は、ｓおれぞれｅｊ×２ｔπ／２Ｍ、ｔ＝０，１，．．．，Ｍ−１である、ステップで、
受信した第２時間ドメインシーケンスを得るために、受信した第２シーケンスに対して第２結合変換を実行する。
【０２６８】
前述の第２任意実施形態との対応。
【０２６９】
第１シーケンスは第４シーケンスであり、第２シーケンスは第３シーケンスであり、第１時間ドメインシーケンスは、第３シーケンスに対して第２結合変換を実行することにより得られたシーケンスであり、第２結合変換はＭ×Ｍ  ＩＤＦＴと第２位相回転との結合変換であり、第１時間ドメインシーケンスのＭ個の要素に対応する第２位相回転は、それぞれｅｊ×２ｔπ／２Ｍ、ｔ＝０，１，．．．，Ｍ−１である。
【０２７０】
処理モジュールは、以下の方法：
受信した第２時間ドメインシーケンスを得るために、Ｍ個の偶数番号のサブキャリアで伝達される受信した第１シーケンスに対してＭ×Ｍ  ＩＤＦＴを実行するステップと、
Ｍ個の第１情報要素を得るために、受信した第２時間ドメインシーケンスを復調するステップで、
Ｍ個の第１情報要素を得るために、第４シーケンスを伝達するＭ個のサブキャリア上の受信信号に対して信号処理を実行する。
【０２７１】
さらに、受信された第１シーケンス及び第２シーケンスを得るために、信号に対してＦＦＴを実行した後に、処理モジュールは、
受信した第２シーケンスに対してＭ×Ｍ  ＩＤＦＴを実行し、受信した第１時間ドメインシーケンスを得るために、ＩＤＦＴの後に得られたＭ個の要素に対してそれぞれ第２位相回転を実行し（又は受信した第１時間ドメインシーケンスを得るために、受信した第２シーケンスに対して第２結合変換を実行し）、
第１時間ドメインシーケンスにより伝達されるＭ個の第２情報要素を得るために、受信した第１時間ドメインシーケンスを復調する、よう更に構成される。
【０２７２】
前述の第３任意実施形態との対応。
【０２７３】
受信装置が、Ｍ個の第１情報要素を得るために、第４シーケンスを伝達するＭ個のサブキャリア上の受信信号に対して信号処理を実行することは、
受信装置により、長さが２Ｍになるよう０を挿入することにより受信した第４シーケンスを拡張し、
拡張した受信した第４シーケンスに対して２Ｍ×２Ｍ  ＩＤＦＴを実行し、受信した第２時間ドメインシーケンスは、ＩＤＦＴの後に得られたシーケンスの最初のＭ個の要素、又はＩＤＦＴの後に得られたシーケンスの最後のＭ個の要素の反数であり、
Ｍ個の第１情報要素を得るために、受信した第２時間ドメインシーケンスを復調する、ことを含む。
【０２７４】
さらに、受信された第１シーケンス及び第２シーケンスを得るために、信号に対して高速フーリエ変換ＦＦＴを実行した後に、処理モジュールは、
長さが２Ｍになるように０を挿入することにより受信した第３シーケンスを拡張し、
拡張した受信した第３シーケンスに対して２Ｍ×２Ｍ  ＩＤＦＴを実行し、受信した第１時間ドメインシーケンスは、ＩＤＦＴの後に得られたシーケンスの最初のＭ個の要素、又はＩＤＦＴの後に得られたシーケンスの最後のＭ個の要素であり、
受信した第３シーケンスにより伝達されるＭ個の第２情報要素を得るために、受信した第１時間ドメインシーケンスを復調する、よう更に構成される。
【０２７５】
前述の第４任意実施形態との対応。
【０２７６】
前述の第３の実施形態からの相違点は、第１時間ドメインシーケンス及び第２時間ドメインシーケンスの拡張方法が、第３の実施形態における方法と全く反対であることである。
【０２７７】
つまり、２Ｍ×２Ｍ  ＩＤＦＴは、拡張された受信した第４シーケンスに対して実行され、受信した第２時間ドメインシーケンスは、ＩＤＦＴの後に得られたシーケンスの最初のＭ個の要素、又はＩＤＦＴの後に得られた最後のＭ個の要素である。
【０２７８】
さらに、２Ｍ×２Ｍ  ＩＤＦＴは、拡張された受信した第３シーケンスに対して実行され、受信した第１時間ドメインシーケンスは、ＩＤＦＴの後に得られたシーケンスの最初のＭ個の要素、又はＩＤＦＴの後に得られた最後のＭ個の要素の反数である。
【０２７９】
留意すべきことに、アップリンク信号では、本実施形態における信号受信装置は、アクセスネットワーク装置であって良く、又はアクセスネットワーク装置内のプロセッサであって良い。ダウンリンク信号では、信号受信装置は端末装置であって良く、又は端末装置内のプロセッサであって良い。
【０２８０】
本発明の実施形態は、制御情報（アップリンク又はダウンリンク制御情報）及び参照信号（アップリンク参照信号又はダウンリンク参照信号）が１つのシンボルで同時に送信されるシングルキャリア複数アクセス技術、例えばＤＦＴ−Ｓ−ＯＦＤＭ（Discrete  Fourier  Transformation−Spread−OFDM）、Ｆｉｌｔｅｒ−ＳＣ−ＯＦＤＭ（Filter−Single  Carrier−OFDM）、又は他のＳＣ−ＦＤＭＡ（Single  Carrier−Frequency  Division  Multiple  Access）に適用可能である。
【０２８１】
留意すべきことに、本発明の全ての実施形態における処理モジュールは、少なくとも１つのプロセッサを用いて実装されて良く、ここでプロセッサは、中央処理ユニット（central  processing  unit、ＣＰＵ）であって良く、又は別の汎用プロセッサ、デジタル信号プロセッサ（digital  signal  processor、ＤＳＰ）、特定用途向け集積回路（application−specific  integrated  circuit、ＡＳＩＣ）、フィールド・プログラマブル・ゲートアレイ（field  programmable  gate  array、ＦＰＧＡ）、又は別のプログラマブル論理素子、個別ゲート若しくはトランジスタ論理素子、個別ハードウェア構成要素、等であって良い。送信モジュールは、送信機を用いて実装されて良く、又は通信機を用いて実装されて良い。受信モジュールは、受信機を用いて実装されて良く、又は通信機を用いて実装されて良い。さらに、本発明の実施形態におけるアクセスネットワーク装置又はユーザ機器は、メモリのような部分を更に含んで良い。ここで、メモリは、読み出し専用メモリ又はランダムアクセスメモリを含み、プロセッサに命令及びデータを提供して良い。メモリの一部は、不揮発性ランダムアクセスメモリを更に含んで良い。例えば、メモリは、記憶装置の種類に関する情報を更に格納して良い。プロセッサは、メモリ内の命令コードを呼び出し、前述の動作を実行するよう本発明の実施形態におけるネットワーク装置又はユーザ機器内の別のモジュールを制御する。
【０２８２】
留意すべきことに、本願明細書を通じて言及される「一実施形態」又は「１つの実施形態」は、実施形態に関連する特定の特徴、構造、又は特性が本発明の少なくとも１つの実施形態に含まれることを意味する。したがって、本願明細書全体の種々の部分に出現する「一実施形態では」又は「１つの実施形態では」は、必ずしも同じ実施形態ではない。さらに、これらの特定の特徴、構造又は特性は、１又は複数の実施形態において、任意の適切な方法で結合されて良い。
【０２８３】
本発明の種々の実施形態では、前述の処理のシーケンス番号は実行順を意味しないことが理解されるべきである。処理の実行順は、機能及び処理の内部ロジックに従い決定されるべきであり、本発明の実施形態の実装過程に対する制限として考えられるべきではない。
【０２８４】
さらに、本願明細書における用語「システム」及び「ネットワーク」は、同義的であって良い。本願明細書において用語「及び／又は」は、関連するオブジェクトを説明するための関連付け関係を記載するだけであり、３つの関係が存在し得ることを表すことが理解されるべきである。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０２８５】
本願において提供される実施形態では、「Ａに対応するＢ」は、ＢがＡに関連付けられること、及びＢがＡに従い決定されて良いこと、を示すことが理解されるべきである。しかしながら、更に理解されるべきことに、Ａに従いＢを決定することは、ＢがＡにのみ従い決定されることを意味せず、代わりに、ＢはＡ及び／又は他の情報に従い決定されて良い。
【０２８６】
当業者は、本願明細書に開示の実施形態で記載された例と組み合わせて、ユニット及びアルゴリズムのステップが、電子ハードウェア、コンピュータソフトウェア、又はそれらの組み合わせにより実施され得ることを認識できる。ハードウェアとソフトウェアとの間の同義性を明確に記載するために、以上は、機能に従う各々の例の一般的に記載された構成及びステップを有する。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えることは考慮されるべきではない。
【０２８７】
本願において提供される実施形態では、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【０２８８】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に応じて選択されて良い。
【０２８９】
統合ユニットがソフトウェア機能ユニットの形式で実装され、独立した製品として販売され又は使用されるとき、統合ユニットは、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。コンピュータソフトウェア製品は、記憶媒体に格納され、コンピュータ装置（パーソナルコンピュータ、サーバ、又はネットワーク装置であって良い）に、本発明の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（Read−Only  Memory、略してROM）、ランダムアクセスメモリ（Random  Access  Memory、略してRAM）、磁気ディスク又は光ディスクのような、プログラムコードを格納可能な任意の媒体を有する。
【０２９０】
上述の説明は、本発明の単なる特定の実装であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【図１】
0006462952.tif 000008
【図２】
0006462952.tif 000009
【図３】
0006462952.tif 000010
【図４】
0006462952.tif 000011
【図５】
0006462952.tif 000012
【図６Ａ】
0006462952.tif 000013
【図６Ｂ】
0006462952.tif 000014
【図７Ａ】
0006462952.tif 000015
【図７Ｂ】
0006462952.tif 000016
【図８Ａ】
0006462952.tif 000017
【図８Ｂ】
0006462952.tif 000018
【図８Ｃ】
0006462952.tif 000019
【図８Ｄ】
0006462952.tif 000020
【図９】
0006462952.tif 000021
【図１０】
0006462952.tif 000022
【図１１】
0006462952.tif 000023